(57)【要約】  本技術の実施形態は、キャリア周波数選択方法を提供する。本方法は以下のステップを有する：ＵＥにより、ベースステーションが送信したサービスキャリア周波数についての情報が受信されたか否かを判断するステップであって、前記サービスキャリア周波数は、前記ＵＥにサービスを提供するターゲットセルがマルチキャリアセルであるとき、前記ベースステーションが選択したトラフィックを搬送するキャリア周波数である、ステップ；条件合致するとき、前記ＵＥにより、サービスキャリア周波数についての前記情報に対応するキャリア周波数において動作し、それ以外であれば、前記ＵＥにより、独自のキャリア周波数において動作する、ステップ。本技術の実施形態により、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。【選択図】図１
2019505135.tif 000002
【特許請求の範囲】
【請求項１】
キャリア周波数選択方法であって、
ユーザ機器（ＵＥ）により、ベースステーションが送信したサービスキャリア周波数についての情報が受信されたか否かを判断するステップであって、前記サービスキャリア周波数は、前記ＵＥに対してサービスを提供するターゲットセルがマルチキャリアセルであるとき、前記ベースステーションが選択したサービストラフィックを搬送するキャリア周波数である、ステップ、
前記ＵＥにより、前記判定の結果がＹＥＳであるときサービスキャリア周波数についての前記情報に対応するキャリア周波数において動作し、それ以外であれば、前記ＵＥは、独自のキャリア周波数において動作する、ステップ、
を有することを特徴とする方法。
【請求項２】
前記ＵＥにより、ベースステーションが送信したサービスキャリア周波数についての情報が受信されたか否かを判断するステップは、
前記ＵＥにより、無線リソース制御（ＲＲＣ）接続セットアップメッセージ、ＲＲＣ接続再開メッセージ、ＲＲＣ接続再確立メッセージ、またはＲＲＣ接続再構成メッセージを受信するステップ、
前記ＵＥにより、前記ＲＲＣ接続セットアップメッセージ、前記ＲＲＣ接続再開メッセージ、ＲＲＣ接続再確立メッセージ、またはＲＲＣ接続再構成メッセージがサービスキャリア周波数についての情報を搬送しているか否かを判定するステップ、
を有することを特徴とする請求項１記載の方法。
【請求項３】
ベースステーションが送信したサービスキャリア周波数についての情報を受信したと前記ＵＥが判断した場合、前記ＵＥの後続フローは前記サービスキャリア周波数において実施され、それ以外であれば前記ＵＥの前記後続フローは現行のキャリア周波数において実施される
ことを特徴とする請求項１記載の方法。
【請求項４】
前記ＵＥの前記後続フローは、現行接続モードにおける前記ＵＥの、
データ送受信プロセス、シグナリング送受信トランシーバプロセス、ランダムアクセスプロセス、
のうち少なくともいずれかを含む
ことを特徴とする請求項３記載の方法。
【請求項５】
前記セルがブロードキャストするランダムアクセスパラメータは、前記サービスキャリア周波数のランダムアクセスパラメータとして用いられる
ことを特徴とする請求項４記載の方法。
【請求項６】
マルチキャリアセルによってサービス提供されるＵＥが接続モードからアイドルモードへスイッチしたとき、前記ＵＥがキャリア周波数を選択する方法は、以下のいずれかである：
前記ベースステーションが送信したＲＲＣリリースメッセージまたはＲＲＣ接続一時停止メッセージが受信されたと判定され、前記ＲＲＣリリースメッセージまたは前記ＲＲＣ接続一時停止メッセージがサービスキャリア周波数の情報を搬送しているとき、前記ＵＥは、前記ＲＲＣリリースメッセージまたは前記ＲＲＣ接続一時停止メッセージが搬送しているサービスキャリア周波数の前記情報に対応するキャリア周波数で動作する；
または、
ベースステーションが送信したＲＲＣリリースメッセージまたはＲＲＣ接続一時停止メッセージ、および／またはＲＲＣ接続セットアップメッセージ、および／またはＲＲＣ接続再開メッセージが受信されたと判定され、前記ＲＲＣリリースメッセージおよび／または前記ＲＲＣ接続一時停止メッセージがサービスキャリア周波数の前記情報を搬送していないが、前記ＲＲＣ接続セットアップメッセージまたは前記ＲＲＣ接続再開メッセージがサービスキャリア周波数の前記情報を搬送しているとき、前記ＵＥは、前記ＲＲＣ接続セットアップメッセージまたは前記ＲＲＣ接続再開メッセージが搬送しているサービスキャリア周波数の前記情報に対応するキャリア周波数で動作する；
または、
ベースステーションが送信したＲＲＣリリースメッセージ、ＲＲＣ接続一時停止メッセージ、および／またはＲＲＣ接続セットアップメッセージ、および／またはＲＲＣ接続再開メッセージが受信されたたと判定され、前記ＲＲＣリリースメッセージ、前記ＲＲＣ接続一時停止メッセージ、および／または前記ＲＲＣ接続セットアップメッセージ、および／または前記ＲＲＣ接続再開メッセージがいずれもサービスキャリア周波数の前記情報を搬送していない場合、前記ＵＥは最後にアイドルモードで動作したキャリア周波数で動作する
ことを特徴とする請求項１記載の方法。
【請求項７】
ベースステーションが送信したサービスキャリア周波数の情報を前記ＵＥが受信する前において、前記方法はさらに、
前記ＵＥにより、前記ＵＥのマルチキャリアサポート能力の情報を前記ベースステーションに対して送信するステップであって、前記ＵＥのマルチキャリアサポート能力の情報は、前記ＵＥがマルチキャリア機能をサポートするか否かを示すために用いられる、ステップを有する
ことを特徴とする請求項１から６のいずれか１項記載の方法。
【請求項８】
前記ＵＥのマルチキャリアサポート能力の前記情報は、
ＲＲＣ接続リクエスト、ＲＲＣ接続再開リクエスト、ＲＲＣ接続再確立リクエスト、
のうちいずれかによって搬送される
ことを特徴とする請求項７記載の方法。
【請求項９】
前記ＵＥがマルチキャリア機能をサポートすることは、前記ベースステーションによって構成されたサービスキャリア周波数の前記情報を前記ＵＥが受け入れることを意味する
ことを特徴とする請求項８記載の方法。
【請求項１０】
ベースステーションが送信したサービスキャリア周波数の情報を前記ＵＥが受信するステップは、
前記ＵＥにより、前記ベースステーションが送信した前記サービスキャリア周波数のナローバンド基準信号（ＮＲＳ）の送信パワーの情報を受信するステップを有する
ことを特徴とする請求項１から６のいずれか１項記載の方法。
【請求項１１】
前記ＵＥにより、前記ベースステーションが送信した前記サービスキャリア周波数のナローバンド基準信号（ＮＲＳ）の送信パワーの情報を受信するステップは、
前記ＵＥにより、システム情報ブロック（ＳＩＢ）、ＲＲＣ接続セットアップメッセージ、ＲＲＣ接続再開メッセージ、ＲＲＣ接続再確立メッセージ、またはＲＲＣ接続再構成メッセージを受信するステップ、
前記ＵＥにより、前記システム情報ブロック（ＳＩＢ）、前記ＲＲＣ接続セットアップメッセージ、前記ＲＲＣ接続再開メッセージ、前記ＲＲＣ接続再確立メッセージ、または前記ＲＲＣ接続再構成メッセージから、前記サービスキャリア周波数のナローバンド基準信号（ＮＲＳ）の送信パワーの前記情報を取得するステップ、
を有することを特徴とする請求項１０記載の方法。
【請求項１２】
前記サービスキャリア周波数のＮＲＳの送信パワーの前記情報は、前記ＵＥが用いる前記ＮＲＳのＥｎｅｒｇｙ  Ｐｅｒ  Ｒｅｓｏｕｒｃｅ  Ｅｌｅｍｅｎｔ（ＥＰＲＥ）を提供し、前記ＵＥに対して前記サービスキャリア周波数が割り当てられたとき、前記ＵＥは前記ＥＰＲＥを用いて、基準信号受信パワー（ＲＳＲＰ）測定および／または経路ロス計算を実施する
ことを特徴とする請求項１０記載の方法。
【請求項１３】
前記サービスキャリア周波数のＮＲＳの送信パワーの前記情報は、アンカーキャリアのＮＲＳのパワーからの偏差によって特徴付けられ、または、
前記サービスキャリア周波数に対応するＮＲＳの送信パワーの前記情報は、前記サービスキャリア周波数の前記ＮＲＳの前記パワーの絶対値によって特徴付けられる
ことを特徴とする請求項１０記載の方法。
【請求項１４】
ベースステーションが送信したサービスキャリア周波数の情報を前記ＵＥが受信する前において、前記方法はさらに、
前記ＵＥにより、ナローバンド基準信号受信パワー（ＮＲＳＲＰ）値を前記ベースステーションに対して送信するステップであって、前記ＮＲＳＲＰ値は前記ＵＥが測定したナローバンド基準信号を搬送するアンカーキャリアのリソースユニット上のパワー値であり、または前記ＵＥが測定したナローバンド基準信号を搬送するアンカーキャリアのリソースユニット上の前記パワー値に規定オフセット値を加算した値であり、前記ＮＲＳＲＰ値は前記ベースステーションが前記ＵＥのダウンリンク無線カバー品質を判定するために用いられる、ステップを有する
ことを特徴とする請求項１から６のいずれか１項記載の方法。
【請求項１５】
前記ＵＥが測定した前記ナローバンド基準信号受信パワー（ＮＲＳＲＰ）は、
ＲＲＣ接続リクエスト、ＲＲＣ接続再開リクエスト、ＲＲＣ接続再確立リクエスト、
のうちいずれかによって搬送される
ことを特徴とする請求項１４記載の方法。
【請求項１６】
前記規定オフセット値は、非アンカーキャリアのＮＲＳのパワーとアンカーキャリアのＮＲＳのパワーとの間の差分である
ことを特徴とする請求項１４記載の方法。
【請求項１７】
前記ＵＥの初期物理ランダムアクセスチャネル（ＰＲＡＣＨ）が非アンカーキャリア上で搬送されるとき前記非アンカーキャリア上における前記ＵＥの無線カバーレベルを判定する方法は、
前記ＵＥにより、前記アンカーキャリアのナローバンド基準信号受信パワー（ＮＲＳＲＰ）の測定結果プラス前記規定オフセット値を無線カバーレベル閾値と比較することにより、前記無線カバーレベルを取得するステップを有する
ことを特徴とする請求項１０から１３のいずれか１項記載の方法。
【請求項１８】
前記規定オフセット値は、非アンカーキャリアのナローバンド基準信号（ＮＲＳ）のパワーとアンカーキャリアのＮＲＳのパワーとの間の差分である
ことを特徴とする請求項１７記載の方法。
【請求項１９】
非アンカーキャリア上で搬送される前記ＵＥの前記初期物理ランダムアクセスチャネル（ＰＲＡＣＨ）は初期ＰＲＡＣＨプロセスであり、前記初期ＰＲＡＣＨプロセスは、物理ダウンリンク制御チャネル（ＰＤＣＣＨ）手順によってトリガされるＰＲＡＣＨプロセスとは異なるＰＲＡＣＨ手順である
ことを特徴とする請求項１７記載の方法。
【請求項２０】
キャリア周波数選択方法であって、
ベースステーションにより、ＵＥに対してサービス提供するターゲットセルがマルチキャリアセルであるか否かを判定するステップ、
前記判定結果がＹＥＳである場合、前記ベースステーションにより、サービスキャリア周波数の情報を前記ＵＥに対して送信するステップであって、前記サービスキャリア周波数は前記ベースステーションが前記ＵＥについて選択したサービスを搬送するキャリア周波数である、ステップ、
を有することを特徴とする方法。
【請求項２１】
ベースステーションにより、ＵＥに対してサービス提供するターゲットセルがマルチキャリアセルであるか否かを判定するステップの前に、前記方法はさらに、
前記ベースステーションにより、ＲＲＣ接続リクエスト、ＲＲＣ接続再開リクエスト、またはＲＲＣ接続再確立リクエストを前記ＵＥから受信するステップを有する
ことを特徴とする請求項２０記載の方法。
【請求項２２】
前記ベースステーションにより、ＲＲＣ接続リクエスト、ＲＲＣ接続再開リクエスト、またはＲＲＣ接続再確立リクエストを前記ＵＥから受信した後、前記方法はさらに、
前記ベースステーションにより、前記ＲＲＣ接続リクエスト、前記ＲＲＣ接続再開リクエスト、または前記ＲＲＣ接続再確立リクエストから、前記ＵＥのマルチキャリアサポート能力の情報を取得するステップであって、前記ＵＥのマルチキャリアサポート能力の前記情報は、前記ＵＥがマルチキャリア機能をサポートするか否かを示すために用いられる、ステップを有する
ことを特徴とする請求項２１記載の方法。
【請求項２３】
マルチキャリア機能を前記ＵＥがサポートすることを前記ＵＥのマルチキャリアサポート能力の前記情報が示している場合、前記方法は、
前記ベースステーションにより、前記ＵＥのマルチキャリアセルのサービスキャリア周波数を選択し、前記サービスキャリア周波数の情報を構成するステップを有する
ことを特徴とする請求項２２記載の方法。
【請求項２４】
前記ベースステーションにより、サービスキャリア周波数の情報を前記ＵＥに対して送信するステップは、
前記ベースステーションにより、ＲＲＣ接続セットアップメッセージにおいてサービスキャリア周波数の前記情報を搬送し、その情報を前記ＵＥに対して送信するステップ、または、
前記ベースステーションにより、ＲＲＣ接続再開メッセージにおいてサービスキャリア周波数の前記情報を搬送し、その情報を前記ＵＥに対して送信するステップ、または、
前記ベースステーションにより、ＲＲＣ接続再確立メッセージにおいてサービスキャリア周波数の前記情報を搬送し、その情報を前記ＵＥに対して送信するステップ、または、
前記ベースステーションにより、ＲＲＣ接続再構成メッセージにおいてサービスキャリア周波数の前記情報を搬送し、その情報を前記ＵＥに対して送信するステップ、
を有することを特徴とする請求項２０記載の方法。
【請求項２５】
前記ベースステーションにより、サービスキャリア周波数の情報を前記ＵＥに対して送信するステップは、
前記ベースステーションにより、前記サービスキャリア周波数のＮＲＳの送信パワーの情報を前記ＵＥに対して送信するステップを有する
ことを特徴とする請求項２４記載の方法。
【請求項２６】
前記ベースステーションにより、前記サービスキャリア周波数のＮＲＳの送信パワーの情報を前記ＵＥに対して送信するステップは、
前記ベースステーションにより、システム情報ブロック（ＳＩＢ）において搬送される前記サービスキャリア周波数のＮＲＳの送信パワーの前記情報を前記ＵＥに対して送信するステップ、または、
前記ベースステーションにより、ＲＲＣ接続セットアップメッセージにおいて搬送される前記サービスキャリア周波数のＮＲＳの送信パワーの前記情報を前記ＵＥに対して送信するステップ、または、
前記ベースステーションにより、ＲＲＣ接続再開メッセージにおいて搬送される前記サービスキャリア周波数のＮＲＳの送信パワーの前記情報を前記ＵＥに対して送信するステップ、または、
前記ベースステーションにより、ＲＲＣ接続再確立メッセージにおいて搬送される前記サービスキャリア周波数のＮＲＳの送信パワーの前記情報を前記ＵＥに対して送信するステップ、または、
前記ベースステーションにより、ＲＲＣ接続再構成メッセージにおいて搬送される前記サービスキャリア周波数のＮＲＳの送信パワーの前記情報を前記ＵＥに対して送信するステップ、
を有することを特徴とする請求項２５記載の方法。
【請求項２７】
前記サービスキャリア周波数のＮＲＳの送信パワーの前記情報は、前記ＵＥが用いる前記ＮＲＳのＥｎｅｒｇｙ  Ｐｅｒ  Ｒｅｓｏｕｒｃｅ  Ｅｌｅｍｅｎｔ（ＥＰＲＥ）を提供し、前記ＵＥに対して前記サービスキャリア周波数が割り当てられたとき、前記ＵＥは前記ＥＰＲＥを用いて、ＲＳＲＰ測定および／または経路ロス計算を実施する
ことを特徴とする請求項２５記載の方法。
【請求項２８】
前記サービスキャリア周波数のＮＲＳの送信パワーの前記情報は、アンカーキャリアのＮＲＳのパワーからの偏差によって特徴付けられ、または、
前記サービスキャリア周波数に対応するＮＲＳの送信パワーの前記情報は、前記サービスキャリア周波数の前記ＮＲＳの前記パワーの絶対値によって特徴付けられる
ことを特徴とする請求項２５記載の方法。
【請求項２９】
サービスキャリア周波数の情報を前記ベースステーションが前記ＵＥに対して送信する場合、前記ベースステーションは前記サービスキャリア周波数において後続フローを前記ＵＥについて実施し、それ以外であれば、前記ベースステーションは現行キャリア周波数において後続フローを前記ＵＥについて実施する
ことを特徴とする請求項２０記載の方法。
【請求項３０】
前記ベースステーションによって実施される前記後続フローは、現行接続モードにおける前記ＵＥの、
データ送受信プロセス、シグナリング送受信トランシーバプロセス、ランダムアクセスプロセス、
のうち少なくともいずれかを含む
ことを特徴とする請求項２９記載の方法。
【請求項３１】
前記方法はさらに、前記ベースステーションにより、ランダムアクセスパラメータを前記ＵＥに対してブロードキャストするステップであって、前記ランダムアクセスパラメータは前記セル内の全キャリア周波数に対して適用される、ステップを有する
ことを特徴とする請求項３０記載の方法。
【請求項３２】
前記ベースステーションにより、サービスキャリア周波数の情報を前記ＵＥに対して送信するステップは、
前記ベースステーションにより、ＲＲＣリリースメッセージまたはＲＲＣ接続一時停止メッセージにおいてサービスキャリア周波数の前記情報を前記ＵＥに対して送信するステップであって、サービスキャリア周波数の前記情報は、ブロードキャストチャネルを搬送するキャリア周波数に対応する情報である、ステップを有する
ことを特徴とする請求項２０記載の方法。
【請求項３３】
前記ベースステーションにより、ＲＲＣ接続リクエスト、ＲＲＣ接続再開リクエスト、またはＲＲＣ接続再確立リクエストを前記ＵＥから受信した後、前記方法はさらに、
前記ベースステーションにより、前記ＲＲＣ接続リクエスト、前記ＲＲＣ接続再開リクエスト、または前記ＲＲＣ接続再確立リクエストから、ナローバンド基準信号受信パワー（ＮＲＳＲＰ）値を取得するステップであって、前記ＮＲＳＲＰ値は、前記ＵＥが受信した前記ＮＲＳのリソースユニット上におけるパワー値を表しており、前記ＮＲＳＲＰ値は前記ベースステーションが前記ＵＥのダウンリンク無線カバーの品質を判定するために用いられる、ステップを有する
ことを特徴とする請求項１６記載の方法。
【請求項３４】
前記方法はさらに、前記ベースステーションにより、前記ＮＲＳＲＰ値に基づき、無線カバーレベル、アップリンク無線カバーレベル、ダウンリンク無線カバーレベル、アップリンクチャネルの時間の物理層再送信数、ダウンリンクチャネルの時間の物理層再送信数のうち少なくともいずれかを判定するステップを有する
ことを特徴とする請求項３３記載の方法。
【請求項３５】
キャリア周波数選択方法であって、
ＵＥにより、マルチキャリアセルのブロードキャスト情報がＰａｇｉｎｇキャリア周波数リストおよび／または複数のＰａｇｉｎｇキャリア周波数を搬送しているか否かを判定するステップであって、前記Ｐａｇｉｎｇキャリア周波数リストはＰａｇｉｎｇメッセージを搬送するキャリア周波数を含み、前記複数のＰａｇｉｎｇキャリア周波数は前記Ｐａｇｉｎｇキャリア周波数リストを判定するために用いられる、ステップ、
前記判定結果がＹＥＳである場合、前記ＵＥにより、Ｐａｇｉｎｇを受信しおよび／または前記Ｐａｇｉｎｇキャリア周波数リストにおけるサービスを搬送するキャリア周波数として、キャリア周波数を規定ルールにしたがって選択するステップ、
を有することを特徴とする方法。
【請求項３６】
前記ＵＥにより、Ｐａｇｉｎｇを受信しおよび／または前記Ｐａｇｉｎｇキャリア周波数リストにおけるサービスを搬送するキャリア周波数として、キャリア周波数を規定ルールにしたがって選択するステップは、
前記ＵＥにより、前記規定ルールにしたがって、Ｐａｇｉｎｇを受信しおよび／またはサービスを搬送するキャリア周波数に対応するキャリア周波数インデックスを取得するステップ、
前記キャリア周波数インデックスにしたがって、Ｐａｇｉｎｇを受信しおよび／またはサービスを搬送するキャリア周波数を判定するステップ、
を有することを特徴とする請求項３５記載の方法。
【請求項３７】
前記規定ルールにしたがって、Ｐａｇｉｎｇを受信しおよび／またはサービスを搬送するキャリア周波数を判定するステップは、
前記ＵＥにより、前記ＵＥのＩＤと、前記Ｐａｇｉｎｇメッセージを搬送する複数のキャリア周波数のｍｏｄ演算とにしたがって、前記対応するキャリア周波数インデックスを取得するステップを有する
ことを特徴とする請求項３６記載の方法。
【請求項３８】
キャリア周波数選択方法であって、
ベースステーションにより、Ｐａｇｉｎｇキャリア周波数リストおよび／または複数のＰａｇｉｎｇキャリア周波数を判定するステップであって、前記Ｐａｇｉｎｇキャリア周波数リストはＰａｇｉｎｇメッセージを搬送するキャリア周波数を含み、前記Ｐａｇｉｎｇキャリア周波数リストは、Ｐａｇｉｎｇを受信しおよび／または前記Ｐａｇｉｎｇキャリア周波数リスト内のサービスを搬送するキャリア周波数として、ユーザ機器（ＵＥ）が規定ルールにしたがってキャリア周波数を選択するために用いられる、ステップ、
前記ベースステーションにより、マルチキャリアセルのブロードキャスト情報において、前記Ｐａｇｉｎｇキャリア周波数リストおよび／または前記複数のＰａｇｉｎｇキャリア周波数を搬送するステップ、
を有することを特徴とする方法。
【請求項３９】
キャリア周波数選択方法であって、
ＵＥにより、Ｐａｇｉｎｇインディケーション情報を搬送するＰＤＣＣＨを介して、Ｐａｇｉｎｇ情報および／またはサービスを搬送するキャリア周波数を取得するステップ、
前記ＵＥにより、前記サービスキャリア周波数において、後続Ｐａｇｉｎｇ情報を送信し、および／または後続サービスを実施するステップ、
を有することを特徴とする方法。
【請求項４０】
ＵＥにより、Ｐａｇｉｎｇインディケーション情報を搬送するＰＤＣＣＨを介して、Ｐａｇｉｎｇ情報および／またはサービスを搬送するキャリア周波数を取得するステップは、
前記ＵＥにより、ブロードキャストを介して、Ｐａｇｉｎｇメッセージ情報および／またはマルチキャリアセルにおけるサービスを搬送するキャリア周波数のキャリア周波数リストを受信するステップ、
前記ＵＥにより、ＰＤＣＣＨインデックスにおいて、Ｐａｇｉｎｇ情報および／または前記キャリア周波数リストにおけるサービスを搬送するキャリア周波数を取得するステップ、
を有することを特徴とする請求項３９記載の方法。
【請求項４１】
前記ＵＥにより、ＰＤＣＣＨインデックスにおいて、Ｐａｇｉｎｇ情報および／または前記キャリア周波数リストにおけるサービスを搬送するキャリア周波数を取得するステップは、
前記ＵＥにより、ダウンリンク制御情報（ＤＣＩ）を介して、前記ＰＤＣＣＨにおいて、Ｐａｇｉｎｇ情報および／または前記キャリア周波数リストにおけるサービスを搬送する前記キャリア周波数のインデックスを取得するステップを有する
ことを特徴とする請求項４０記載の方法。
【請求項４２】
キャリア周波数選択方法であって、
ベースステーションにより、Ｐａｇｉｎｇ情報および／またはサービスを搬送するキャリア周波数を判定するステップ、
前記ベースステーションにより、Ｐａｇｉｎｇインディケーション情報を搬送するＰＤＣＣＨを介して、Ｐａｇｉｎｇ情報および／またはサービスを搬送するキャリア周波数をＵＥに対して通知するステップであって、前記キャリア周波数は前記ＵＥにより、前記キャリア周波数において後続Ｐａｇｉｎｇ情報を送信しおよび／または後続サービスを実施するために用いられる、ステップ、
を有することを特徴とする方法。
【請求項４３】
前記ベースステーションにより、Ｐａｇｉｎｇインディケーション情報を搬送するＰＤＣＣＨを介して、Ｐａｇｉｎｇ情報および／またはサービスを搬送するキャリア周波数をＵＥに対して通知するステップは、
前記ベースステーションにより、ブロードキャストの形式で、Ｐａｇｉｎｇメッセージ情報および／またはマルチキャリアセルにおけるサービスを搬送するキャリア周波数のキャリア周波数リストを前記ＵＥに対して送信するステップ、
前記ベースステーションにより、ＰＤＣＣＨインデックスにおいて、Ｐａｇｉｎｇ情報および／または前記キャリア周波数リストにおけるサービスを搬送する前記キャリア周波数を搬送するステップ、
を有することを特徴とする請求項４２記載の方法。
【請求項４４】
前記ベースステーションにより、ＰＤＣＣＨインデックスにおいて、Ｐａｇｉｎｇ情報および／または前記キャリア周波数リストにおけるサービスを搬送する前記キャリア周波数を搬送するステップは、
前記ベースステーションにより、ＤＣＩを介して、前記ＰＤＣＣＨにおいて、Ｐａｇｉｎｇ情報および／または前記キャリア周波数リストにおけるサービスを搬送する前記キャリア周波数のインデックスを搬送するステップを有する
ことを特徴とする請求項４３記載の方法。
【請求項４５】
キャリア周波数選択方法であって、
ＵＥにより、マルチキャリアセルのブロードキャスト情報においてサービスキャリア周波数リストが搬送されているか否かを判定するステップであって、前記サービスキャリア周波数リストはサービスを搬送するキャリア周波数を含む、ステップ、
前記判定結果がＹＥＳである場合、前記ＵＥにより、前記ＵＥが前記サービスキャリア周波数リストにおけるサービスリクエストを開始するキャリア周波数として、キャリア周波数を規定ルールにしたがって選択するステップ、
を有することを特徴とする方法。
【請求項４６】
前記ＵＥにより、前記ＵＥが前記サービスキャリア周波数リストにおけるサービスリクエストを開始するキャリア周波数として、キャリア周波数を規定ルールにしたがって選択するステップは、
前記ＵＥにより、前記規定ルールにしたがって前記ＵＥがサービスリクエストを開始するキャリア周波数のキャリア周波数インデックスを取得するステップ、
前記キャリア周波数インデックスにしたがって、前記ＵＥがサービスリクエストを開始するキャリア周波数を判定するステップ、
を有することを特徴とする方法。
【請求項４７】
前記ＵＥにより、前記規定ルールにしたがって前記ＵＥがサービスリクエストを開始するキャリア周波数のキャリア周波数インデックスを取得するステップは、
前記ＵＥにより、前記ＵＥのＩＤと、前記ＵＥがサービスリクエストを開始する複数のキャリア周波数のｍｏｄ演算とに基づき、前記キャリア周波数インデックスを取得するステップを有する
ことを特徴とする請求項４６記載の方法。
【請求項４８】
キャリア周波数選択方法であって、
ベースステーションにより、サービスキャリア周波数リストを判定するステップであって、前記サービスキャリア周波数リストはサービスを搬送するキャリア周波数を含み、前記サービスキャリア周波数リストは、前記サービスキャリア周波数リストにおけるサービスリクエストを前記ＵＥが開始するキャリア周波数を前記ＵＥが規定ルールにしたがって選択するために用いられる、ステップ、
前記ベースステーションにより、マルチキャリアセルにおけるブロードキャスト情報において、前記サービスキャリア周波数リストを搬送するステップ、
を有することを特徴とする方法。
【請求項４９】
ＵＥにおけるキャリア周波数選択装置であって、
ベースステーションが送信したサービスキャリア周波数の情報が受信されたか否かを判定するように構成された第１判定モジュールであって、前記サービスキャリア周波数は、前記ＵＥに対してサービス提供するターゲットセルがマルチキャリアセルであるとき前記ベースステーションが選択したサービスを搬送するキャリア周波数である、第１判定モジュール、
ベースステーションが送信したサービスキャリア周波数の前記情報が受信されたと判定されたとき、サービスキャリア周波数の前記情報に対応するキャリア周波数を選択し、ベースステーションが送信したサービスキャリア周波数の前記情報が受信されなかったと判定されたとき、独自のキャリア周波数を選択するように構成された、選択モジュール、
を備えることを特徴とする装置。
【請求項５０】
ベースステーションにおけるキャリア周波数選択装置であって、
ＵＥに対してサービス提供するターゲットセルがマルチキャリアセルであるか否かを判定するように構成された第２判定モジュール、
ＵＥに対してサービス提供する前記ターゲットセルがマルチキャリアセルであると判定された場合、サービスキャリア周波数の情報を前記ＵＥに対して送信するように構成された第１送信モジュールであって、前記サービスキャリア周波数は前記ベースステーションが前記ＵＥについて選択したサービスを搬送するキャリア周波数である、第１送信モジュール、
を備えることを特徴とする装置。
【請求項５１】
ＵＥにおけるキャリア周波数選択装置であって、
マルチキャリアセルのブロードキャスト情報がＰａｇｉｎｇキャリア周波数リストおよび／または複数のＰａｇｉｎｇキャリア周波数を搬送しているか否かを判定するように構成された第３判定モジュールであって、前記Ｐａｇｉｎｇキャリア周波数リストはＰａｇｉｎｇメッセージを搬送するキャリア周波数を含み、前記複数のＰａｇｉｎｇキャリア周波数は前記Ｐａｇｉｎｇキャリア周波数リストを判定するために用いられる、第３判定モジュール、
マルチキャリアセルの前記ブロードキャスト情報がＰａｇｉｎｇキャリア周波数リストおよび／または複数のＰａｇｉｎｇキャリア周波数を搬送していると判定された場合、Ｐａｇｉｎｇを受信しおよび／または前記Ｐａｇｉｎｇキャリア周波数リスト内のサービスを搬送するキャリア周波数として、キャリア周波数を規定ルールにしたがって選択するように構成された選択モジュール、
を備えることを特徴とする装置。
【請求項５２】
ベースステーションにおけるキャリア周波数選択装置であって、
Ｐａｇｉｎｇキャリア周波数リストおよび／または複数のＰａｇｉｎｇキャリア周波数を決定するように構成された第１決定モジュールであって、前記Ｐａｇｉｎｇキャリア周波数リストはＰａｇｉｎｇメッセージを搬送するキャリア周波数を含み、前記Ｐａｇｉｎｇキャリア周波数リストは、Ｐａｇｉｎｇを受信しおよび／または前記Ｐａｇｉｎｇキャリア周波数リストにおけるサービスを搬送するキャリア周波数として、キャリア周波数をユーザ機器（ＵＥ）が規定ルールにしたがって選択するために用いられ、前記複数のＰａｇｉｎｇキャリア周波数は前記Ｐａｇｉｎｇキャリア周波数リストを判定するために用いられる、第１決定モジュール、
マルチキャリアセルのブロードキャスト情報において前記Ｐａｇｉｎｇキャリア周波数リストおよび／または前記複数のＰａｇｉｎｇキャリア周波数を搬送するように構成された第２送信モジュール、
を備えることを特徴とする装置。
【請求項５３】
ＵＥにおけるキャリア周波数選択装置であって、
Ｐａｇｉｎｇインディケーション情報を搬送するＰＤＣＣＨを介して、Ｐａｇｉｎｇ情報および／またはサービスを搬送するキャリア周波数を取得するように構成された取得モジュール、
前記キャリア周波数において、後続Ｐａｇｉｎｇ情報を送信しおよび／または後続サービスを実施するように構成された送信モジュール、
を備えることを特徴とする装置。
【請求項５４】
ベースステーションにおけるキャリア周波数選択装置であって、
Ｐａｇｉｎｇ情報および／またはサービスを搬送するキャリア周波数を判定するように構成された第２判定モジュール、
Ｐａｇｉｎｇインディケーション情報を搬送するＰＤＣＣＨを介して、Ｐａｇｉｎｇ情報および／またはサービスを搬送するキャリア周波数をＵＥに対して通知するように構成された第３送信モジュールであって、前記キャリア周波数は、前記キャリア周波数において前記ＵＥが後続Ｐａｇｉｎｇ情報を送信しおよび／または後続サービスを実施するために用いられる、第３判定モジュール、
を備えることを特徴とする装置。
【請求項５５】
請求項１から１９のいずれか１項記載のカスタマイズキーボードのレイアウト方法を実行するためのコンピュータプログラムを格納するように構成さえたコンピュータ記憶媒体。
【発明の詳細な説明】
【技術分野】
【０００１】
本発明は、通信分野に関するものであある。具体的には、サービスキャリア周波数選択方法および装置に関するものである。
【背景技術】
【０００２】
マシン対マシン（Ｍ２Ｍ）通信は、第５世代（５Ｇ）モバイル通信技術の研究における重要課題であり、将来の無線通信のための重要なアプリケーション領域である。Ｍ２Ｍプロジェクトにおいて、低コスト、低スループット端末の特性のためのナローバンドインターネットオブシングス（ＮＢ−ＩｏＴ）が提案されており、これは２００ＫＨｚの周波数帯域においてＮＢ−ＩｏＴの低コスト端末のための低スループット無線通信サービスを提供するためのものである。
【０００３】
無線インターフェース信号送受信を確保し、ＵＥの高速アクセスを実現するため、ＮＢ−ＩｏＴは以下の一時中断再開メカニズムを導入している：ユーザ機器（ＵＥ）と移動管理装置（Ｍｏｂｉｌｉｔｙ  Ｍａｎａｇｅｍｅｎｔ  Ｅｎｔｉｔｙ：ＭＭＥ）がアップリンクとダウンリンクのデータ送信を完了すると、ＵＥのベアラコンテキストとＡＳコンテキストは、無線リソースコントロール（ＲＲＣ）接続一時停止メカニズムを用いることにより、ｅｖｏｌｖｅｄベースステーション（ｅＮＢまたはｅＮｏｄｅＢと呼ばれる）側とＭＭＥ側で一時停止する；ＵＥとＭＭＥとの間でデータ送信が後に必要である場合、ＵＥのＵＵとＳ１インターフェース接続は、ＲＲＣを再開プロセスへ接続するにより高速復元される。
【０００４】
２００ＫＨｚスペクトル帯域幅のシングルキャリアセルの性能が小さいことを考慮すると、多数のＮＢ−ＩｏＴ端末に対するアクセスは必然的に性能限界に直面し、性能を拡張する単純な手法は複数キャリア周波数によって同じエリアをカバーすることである。しかし各キャリアが個別に１つの説として動作すると、以下の２つの課題が生じる：１）同じカバーエリアにおいて、同じカバー範囲内に複数のセルが存在することになり、多くのセルが不要な品質測定オーバヘッドを生じさせる；２）ブロードキャストチャネルと同期チャネルは各キャリアについて構成する必要があり、これはキャリアのリソースを浪費してしまう。したがって、以下の複数キャリアセル手法を用いる必要がある：同じエリアをカバーする同じｅＮｏｄｅＢ内の複数のシングルキャリアセルを複数キャリアセルに集約させる。具体的には以下の通りである：複数のキャリアは１つの物理セルＩＤを共有し、ブロードキャストチャネルと同期チャネルを共有する。トラフィックチャネルはセル内のキャリアにおいて送信され、ブロードキャストチャネルと同期チャネルを搬送するキャリアはアンカーキャリアと呼ばれ、ブロードキャストチャネルと同期チャネルを搬送しないキャリアはノンアンカーキャリアと呼ばれる。
【０００５】
現行サービスにおけるキャリア周波数選択方法は、ＵＥの国際モバイルサブスクライバＩＤ番号（ＩＭＳＩ）に基づきある１つのＵＥのトラフィックが複数のキャリア周波数へ均等に分割されるか、あるいは、周波数ホッピングによりある１つのＵＥのトラフィックが複数キャリア周波数において動的にスケジューリングされるものである。しかし、ＩＳＭＩに基づき１つのＵＥのトラフィックを複数キャリア周波数へ均等分割することは負荷アンバランスの問題があり、また、１つのＵＥのトラフィックを複数キャリアへ動的スケジューリングすることはＵＥ周波数スイッチングの問題がある。これらはＮＢ−ＩｏＴが主に少量データを送信するためには不十分である。
【０００６】
現在のところ、関連技術においてサービスキャリア周波数選択方法は選択が受動的であり主体性を欠くという課題への解決手段は存在していない。
【発明の概要】
【課題を解決するための手段】
【０００７】
本技術の実施形態は、キャリア選択方法と装置を提供し、少なくともサービスキャリア周波数選択方法は選択が受動的であり主体性を欠くという課題に対して解決手段を提供する。
【０００８】
本技術の実施形態において、以下のステップを有するキャリア周波数選択方法を提供する：ユーザ機器（ＵＥ）により、ベースステーションが送信したサービスキャリア周波数についての情報が受信されたか否かを判断するステップであって、前記サービスキャリア周波数は、前記ＵＥに対してサービスを提供するターゲットセルがマルチキャリアセルであるとき、前記ベースステーションが選択したサービストラフィックを搬送するキャリア周波数である、ステップ；前記ＵＥにより、前記判定の結果がＹＥＳであるときサービスキャリア周波数についての前記情報に対応するキャリア周波数において動作し、それ以外であれば、前記ＵＥは、独自のキャリア周波数において動作する、ステップ。
【０００９】
これに代えて、前記ＵＥにより、ベースステーションが送信したサービスキャリア周波数についての情報が受信されたか否かを判断するステップは：前記ＵＥにより、ＲＲＣ接続セットアップメッセージ、ＲＲＣ接続再開メッセージ、ＲＲＣ接続再確立メッセージ、またはＲＲＣ接続再構成メッセージを受信するステップ；前記ＵＥにより、前記ＲＲＣ接続セットアップメッセージ、前記ＲＲＣ接続再開メッセージ、ＲＲＣ接続再確立メッセージ、またはＲＲＣ接続再構成メッセージがサービスキャリア周波数についての情報を搬送しているか否かを判定するステップ、を有する。
【００１０】
これに代えて、ベースステーションが送信したサービスキャリア周波数についての情報を受信したと前記ＵＥが判断した場合、前記ＵＥの後続フローは前記サービスキャリア周波数において実施され、それ以外であれば前記ＵＥの前記後続フローは現行のキャリア周波数において実施される。
【００１１】
これに代えて、前記ＵＥの前記後続フローは、現行接続モードにおける前記ＵＥの、データ送受信プロセス、シグナリング送受信トランシーバプロセス、ランダムアクセスプロセス、のうち少なくともいずれかを含む。
【００１２】
これに代えて、前記セルがブロードキャストするランダムアクセスパラメータは、前記サービスキャリア周波数のランダムアクセスパラメータとして用いられる。
【００１３】
これに代えて、マルチキャリアセルによってサービス提供されるＵＥが接続モードからアイドルモードへスイッチしたとき、前記ＵＥがキャリア周波数を選択する方法は、以下のいずれかである：前記ベースステーションが送信したＲＲＣリリースメッセージ、ＲＲＣ接続一時停止メッセージ、ＲＲＣ接続セットアップメッセージ、またはＲＲＣ接続再開メッセージが受信されたと判定され、前記ＲＲＣリリースメッセージまたは前記ＲＲＣ接続一時停止メッセージがサービスキャリア周波数の情報を搬送しているとき、前記ＵＥは、前記ＲＲＣリリースメッセージまたは前記ＲＲＣ接続一時停止メッセージが搬送しているサービスキャリア周波数の前記情報に対応するキャリア周波数で動作する；または、ベースステーションが送信したＲＲＣリリースメッセージまたはＲＲＣ接続一時停止メッセージ、および／またはＲＲＣ接続セットアップメッセージ、および／またはＲＲＣ接続再開メッセージが受信されたと判定され、前記ＲＲＣリリースメッセージおよび／または前記ＲＲＣ接続一時停止メッセージがサービスキャリア周波数の前記情報を搬送していないが、前記ＲＲＣ接続セットアップメッセージまたは前記ＲＲＣ接続再開メッセージがサービスキャリア周波数の前記情報を搬送しているとき、前記ＵＥは、前記ＲＲＣ接続セットアップメッセージまたは前記ＲＲＣ接続再開メッセージが搬送しているサービスキャリア周波数の前記情報に対応するキャリア周波数で動作する；または、ベースステーションが送信したＲＲＣリリースメッセージ、ＲＲＣ接続一時停止メッセージ、および／またはＲＲＣ接続セットアップメッセージ、および／またはＲＲＣ接続再開メッセージが受信されたたと判定され、前記ＲＲＣリリースメッセージ、前記ＲＲＣ接続一時停止メッセージ、および／または前記ＲＲＣ接続セットアップメッセージ、および／または前記ＲＲＣ接続再開メッセージがいずれもサービスキャリア周波数の前記情報を搬送していない場合、前記ＵＥは最後にアイドルモードで動作したキャリア周波数で動作する。
【００１４】
これに代えて、ベースステーションが送信したサービスキャリア周波数の情報を前記ＵＥが受信する前において、前記方法はさらに：前記ＵＥにより、前記ＵＥのマルチキャリアサポート能力の情報を前記ベースステーションに対して送信するステップであって、前記ＵＥのマルチキャリアサポート能力の情報は、前記ＵＥがマルチキャリア機能をサポートするか否かを示すために用いられる、ステップを有する。
【００１５】
これに代えて、前記ＵＥのマルチキャリアサポート能力の前記情報は、ＲＲＣ接続リクエスト、ＲＲＣ接続再開リクエスト、ＲＲＣ接続再確立リクエスト、のうちいずれかによって搬送される。
【００１６】
これに代えて、前記ＵＥがマルチキャリア機能をサポートすることは、前記ベースステーションによって構成されたサービスキャリア周波数の前記情報を前記ＵＥが受け入れることを意味する。
【００１７】
これに代えて、ベースステーションが送信したサービスキャリア周波数の情報を前記ＵＥが受信するステップは：前記ＵＥにより、前記ベースステーションが送信した前記サービスキャリア周波数のナローバンド基準信号（ＮＲＳ）の送信パワーの情報を受信するステップを有する。
【００１８】
これに代えて、前記ＵＥにより、前記ベースステーションが送信した前記サービスキャリア周波数のナローバンド基準信号（ＮＲＳ）の送信パワーの情報を受信するステップは：  前記ＵＥにより、システム情報ブロック（ＳＩＢ）、ＲＲＣ接続セットアップメッセージ、ＲＲＣ接続再開メッセージ、ＲＲＣ接続再確立メッセージ、またはＲＲＣ接続再構成メッセージを受信するステップ；前記ＵＥにより、前記システム情報ブロック（ＳＩＢ）、前記ＲＲＣ接続セットアップメッセージ、前記ＲＲＣ接続再開メッセージ、前記ＲＲＣ接続再確立メッセージ、または前記ＲＲＣ接続再構成メッセージから、前記サービスキャリア周波数のナローバンド基準信号（ＮＲＳ）の送信パワーの前記情報を取得するステップ；を有する。
【００１９】
これに代えて、ベースステーションが送信したサービスキャリア周波数についての情報を前記ＵＥが受信する前に、前記方法はさらに：前記ＵＥにより、システム情報ブロック（ＳＩＢ）を介して、ベースステーションが送信した前記サービスキャリア周波数のＮＲＳの送信パワーについての情報を受信するステップを有する。前記サービスキャリア周波数のＮＲＳの送信パワーについての前記情報は、前記ＵＥが用いる前記ＮＲＳのＥｎｅｒｇｙ  Ｐｅｒ  Ｒｅｓｏｕｒｃｅ  Ｅｌｅｍｅｎｔを提供し、前記ＵＥに対して前記サービスキャリア周波数が割り当てられたとき、前記ＵＥは前記ＥＰＲＥを用いて、ＲＳＲＰ測定および／または経路ロス計算を実施する。
【００２０】
これに代えて、前記方法はさらに以下のステップを有する：前記サービスキャリア周波数のＮＲＳの送信パワーの前記情報は、アンカーキャリアのＮＲＳのパワーからの偏差によって特徴付けられ；または、前記サービスキャリア周波数に対応するＮＲＳの送信パワーの前記情報は、前記サービスキャリア周波数の前記ＮＲＳの前記パワーの絶対値によって特徴付けられる。
【００２１】
これに代えて、ベースステーションが送信したサービスキャリア周波数の情報を前記ＵＥが受信する前において、前記方法はさらに：前記ＵＥにより、ナローバンド基準信号受信パワー（ＮＲＳＲＰ）値を前記ベースステーションに対して送信するステップであって、前記ＮＲＳＲＰ値は前記ＵＥが測定したナローバンド基準信号を搬送するアンカーキャリアのリソースユニット上のパワー値であり、または前記ＵＥが測定したナローバンド基準信号を搬送するアンカーキャリアのリソースユニット上の前記パワー値にオフセット値を加算した値であり、前記ＮＲＳＲＰ値は前記ベースステーションが前記ＵＥのダウンリンク無線カバー品質を判定するために用いられる、ステップを有する。
【００２２】
これに代えて、前記ＵＥが測定した前記ナローバンド基準信号受信パワー（ＮＲＳＲＰ）は、ＲＲＣ接続リクエスト、ＲＲＣ接続再開リクエスト、ＲＲＣ接続再確立リクエスト、のうちいずれかによって搬送される。
【００２３】
これに代えて、前記オフセット値は、非アンカーキャリアのＮＲＳのパワーとアンカーキャリアのＮＲＳのパワーとの間の差分である。
【００２４】
これに代えて、前記ＵＥの初期物理ランダムアクセスチャネル（ＰＲＡＣＨ）が非アンカーキャリア上で搬送されるとき前記非アンカーキャリア上における前記ＵＥの無線カバーレベルを判定する方法は：前記ＵＥにより、前記アンカーキャリアのナローバンド基準信号受信パワー（ＮＲＳＲＰ）の測定結果プラス前記オフセット値を無線カバーレベル閾値と比較することにより、前記無線カバーレベルを取得するステップを有し、前記無線カバーレベル閾値はシステム情報ブロックによって構成される。
【００２５】
これに代えて、前記規定オフセット値は、非アンカーキャリアのナローバンド基準信号（ＮＲＳ）のパワーとアンカーキャリアのＮＲＳのパワーとの間の差分である。
【００２６】
これに代えて、非アンカーキャリア上で搬送される前記ＵＥの前記初期物理ランダムアクセスチャネル（ＰＲＡＣＨ）は初期ＰＲＡＣＨプロセスであり、前記初期ＰＲＡＣＨプロセスは、物理ダウンリンク制御チャネル（ＰＤＣＣＨ）手順によってトリガされるＰＲＡＣＨプロセスとは異なるＰＲＡＣＨ手順である。
【００２７】
本技術の別実施形態にとれば、以下のステップを有するキャリア周波数選択方法が提供される：ベースステーションにより、ＵＥに対してサービス提供するターゲットセルがマルチキャリアセルであるか否かを判定するステップ；前記判定結果がＹＥＳである場合、前記ベースステーションにより、サービスキャリア周波数の情報を前記ＵＥに対して送信するステップであって、前記サービスキャリア周波数は前記ベースステーションが前記ＵＥについて選択したサービスを搬送するキャリア周波数である、ステップ。
【００２８】
これに代えて、ベースステーションにより、ＵＥに対してサービス提供するターゲットセルがマルチキャリアセルであるか否かを判定するステップの前に、前記方法はさらに：前記ベースステーションにより、ＲＲＣ接続リクエスト、ＲＲＣ接続再開リクエスト、またはＲＲＣ接続再確立リクエストを前記ＵＥから受信するステップを有する。
【００２９】
これに代えて、前記ベースステーションにより、ＲＲＣ接続リクエスト、ＲＲＣ接続再開リクエスト、またはＲＲＣ接続再確立リクエストを前記ＵＥから受信した後、前記方法はさらに：前記ベースステーションにより、前記ＲＲＣ接続リクエスト、前記ＲＲＣ接続再開リクエスト、または前記ＲＲＣ接続再確立リクエストから、前記ＵＥのマルチキャリアサポート能力の情報を取得するステップであって、前記ＵＥのマルチキャリアサポート能力の前記情報は、前記ＵＥがマルチキャリア機能をサポートするか否かを示すために用いられる、ステップを有する。
【００３０】
これに代えて、マルチキャリア機能を前記ＵＥがサポートすることを前記ＵＥのマルチキャリアサポート能力の前記情報が示している場合、前記方法は：前記ベースステーションにより、前記ＵＥのマルチキャリアセルのサービスキャリア周波数を選択し、前記サービスキャリア周波数の情報を構成するステップを有する。
【００３１】
これに代えて、前記ベースステーションにより、サービスキャリア周波数の情報を前記ＵＥに対して送信するステップは：前記ベースステーションにより、ＲＲＣ接続セットアップメッセージにおいてサービスキャリア周波数の前記情報を搬送し、その情報を前記ＵＥに対して送信するステップ；または、前記ベースステーションにより、ＲＲＣ接続再開メッセージにおいてサービスキャリア周波数の前記情報を搬送し、その情報を前記ＵＥに対して送信するステップ；または、前記ベースステーションにより、ＲＲＣ接続再確立メッセージにおいてサービスキャリア周波数の前記情報を搬送し、その情報を前記ＵＥに対して送信するステップ；または、前記ベースステーションにより、ＲＲＣ接続再構成メッセージにおいてサービスキャリア周波数の前記情報を搬送し、その情報を前記ＵＥに対して送信するステップ；を有する。
【００３２】
これに代えて、前記ベースステーションにより、サービスキャリア周波数の情報を前記ＵＥに対して送信するステップは：前記ベースステーションにより、前記サービスキャリア周波数のＮＲＳの送信パワーの情報を前記ＵＥに対して送信するステップを有する。
【００３３】
これに代えて、前記ベースステーションにより、前記サービスキャリア周波数のＮＲＳの送信パワーの情報を前記ＵＥに対して送信するステップは：前記ベースステーションにより、システム情報ブロック（ＳＩＢ）において搬送される前記サービスキャリア周波数のＮＲＳの送信パワーの前記情報を前記ＵＥに対して送信するステップ；または、前記ベースステーションにより、ＲＲＣ接続セットアップメッセージにおいて搬送される前記サービスキャリア周波数のＮＲＳの送信パワーの前記情報を前記ＵＥに対して送信するステップ；または、前記ベースステーションにより、ＲＲＣ接続再開メッセージにおいて搬送される前記サービスキャリア周波数のＮＲＳの送信パワーの前記情報を前記ＵＥに対して送信するステップ；または、前記ベースステーションにより、ＲＲＣ接続再確立メッセージにおいて搬送される前記サービスキャリア周波数のＮＲＳの送信パワーの前記情報を前記ＵＥに対して送信するステップ；または、前記ベースステーションにより、ＲＲＣ接続再構成メッセージにおいて搬送される前記サービスキャリア周波数のＮＲＳの送信パワーの前記情報を前記ＵＥに対して送信するステップ；を有する。
【００３４】
これに代えて、前記方法はさらに：前記サービスキャリア周波数に対応するＮＲＳの送信パワーの前記情報は、アンカーキャリアのＮＲＳのパワーからの偏差によって特徴付けられ；前記サービスキャリア周波数に対応するＮＲＳの送信パワーの前記情報は、前記サービスキャリア周波数の前記ＮＲＳの前記パワーの絶対値によって特徴付けられる。
【００３５】
これに代えて、サービスキャリア周波数の情報を前記ベースステーションが前記ＵＥに対して送信する場合、前記ベースステーションは前記サービスキャリア周波数において後続フローを前記ＵＥについて実施し、それ以外であれば、前記ベースステーションは現行キャリア周波数において後続フローを前記ＵＥについて実施する。
【００３６】
これに代えて、前記ベースステーションによって実施される前記後続フローは、現行接続モードにおける前記ＵＥの、データ送受信プロセス、シグナリング送受信トランシーバプロセス、ランダムアクセスプロセス、のうち少なくともいずれかを含む。
【００３７】
これに代えて、前記方法はさらに：前記ベースステーションにより、ランダムアクセスパラメータを前記ＵＥに対してブロードキャストするステップであって、前記ランダムアクセスパラメータは前記セル内の全キャリア周波数に対して適用される、ステップを有する。
【００３８】
これに代えて、前記ベースステーションにより、サービスキャリア周波数の情報を前記ＵＥに対して送信するステップは：前記ベースステーションにより、ＲＲＣリリースメッセージまたはＲＲＣ接続一時停止メッセージにおいてサービスキャリア周波数の前記情報を前記ＵＥに対して送信するステップであって、サービスキャリア周波数の前記情報は、ブロードキャストチャネルを搬送するキャリア周波数に対応する情報である、ステップを有する。
【００３９】
これに代えて、前記ベースステーションにより、ＲＲＣ接続リクエスト、ＲＲＣ接続再開リクエスト、またはＲＲＣ接続再確立リクエストを前記ＵＥから受信した後、前記方法はさらに：前記ベースステーションにより、前記ＲＲＣ接続リクエスト、前記ＲＲＣ接続再開リクエスト、または前記ＲＲＣ接続再確立リクエストから、ナローバンド基準信号受信パワー（ＮＲＳＲＰ）値を取得するステップであって、前記ＮＲＳＲＰ値は、前記ＵＥが受信した前記ＮＲＳのリソースユニット上におけるパワー値を表しており、前記ＮＲＳＲＰ値は前記ベースステーションが前記ＵＥのダウンリンク無線カバーの品質を判定するために用いられる、ステップを有する。
【００４０】
これに代えて、前記方法はさらに、前記ベースステーションにより、前記ＮＲＳＲＰ値に基づき、無線カバーレベル、アップリンク無線カバーレベル、ダウンリンク無線カバーレベル、アップリンクチャネルの時間の物理層再送信数、ダウンリンクチャネルの時間の物理層再送信数のうち少なくともいずれかを判定するステップを有する。
【００４１】
本技術の別実施形態によれば、以下のステップを有するキャリア周波数選択方法が提供される：ＵＥにより、マルチキャリアセルのブロードキャスト情報がＰａｇｉｎｇキャリア周波数リストおよび／または複数のＰａｇｉｎｇキャリア周波数を搬送しているか否かを判定するステップであって、前記Ｐａｇｉｎｇキャリア周波数リストはＰａｇｉｎｇメッセージを搬送するキャリア周波数を含み、前記複数のＰａｇｉｎｇキャリア周波数は前記Ｐａｇｉｎｇキャリア周波数リストを判定するために用いられる、ステップ；前記判定結果がＹＥＳである場合、前記ＵＥにより、Ｐａｇｉｎｇを受信しおよび／または前記Ｐａｇｉｎｇキャリア周波数リストにおけるサービスを搬送するキャリア周波数として、キャリア周波数を規定ルールにしたがって選択するステップ。
【００４２】
これに代えて、前記ＵＥにより、Ｐａｇｉｎｇを受信しおよび／または前記Ｐａｇｉｎｇキャリア周波数リストにおけるサービスを搬送するキャリア周波数として、キャリア周波数を規定ルールにしたがって選択するステップは：前記ＵＥにより、前記規定ルールにしたがって、Ｐａｇｉｎｇを受信しおよび／またはサービスを搬送するキャリア周波数に対応するキャリア周波数インデックスを取得するステップ；前記キャリア周波数インデックスにしたがって、Ｐａｇｉｎｇを受信しおよび／またはサービスを搬送するキャリア周波数を判定するステップ；を有する。
【００４３】
これに代えて、前記規定ルールにしたがって、Ｐａｇｉｎｇを受信しおよび／またはサービスを搬送するキャリア周波数を判定するステップは：前記ＵＥにより、前記ＵＥのＩＤと、前記Ｐａｇｉｎｇメッセージを搬送する複数のキャリア周波数のｍｏｄ演算とにしたがって、前記対応するキャリア周波数インデックスを取得するステップを有する。
【００４４】
本技術の別実施形態によれば、以下のステップを有するキャリア周波数選択方法が提供される：ベースステーションにより、Ｐａｇｉｎｇキャリア周波数リストおよび／または複数のＰａｇｉｎｇキャリア周波数を判定するステップであって、前記Ｐａｇｉｎｇキャリア周波数リストはＰａｇｉｎｇメッセージを搬送するキャリア周波数を含み、前記Ｐａｇｉｎｇキャリア周波数リストは、Ｐａｇｉｎｇを受信しおよび／または前記Ｐａｇｉｎｇキャリア周波数リスト内のサービスを搬送するキャリア周波数として、ユーザ機器（ＵＥ）が規定ルールにしたがってキャリア周波数を選択するために用いられる、ステップ；前記ベースステーションにより、マルチキャリアセルのブロードキャスト情報において、前記Ｐａｇｉｎｇキャリア周波数リストおよび／または前記複数のＰａｇｉｎｇキャリア周波数を搬送するステップ。
【００４５】
本技術の別実施形態によれば、以下のステップを有するキャリア周波数選択方法が提供される：ＵＥにより、Ｐａｇｉｎｇインディケーション情報を搬送するＰＤＣＣＨを介して、Ｐａｇｉｎｇ情報および／またはサービスを搬送するキャリア周波数を取得するステップ；前記ＵＥにより、前記サービスキャリア周波数において、後続Ｐａｇｉｎｇ情報を送信し、および／または後続サービスを実施するステップ。
【００４６】
これに代えて、ＵＥにより、Ｐａｇｉｎｇインディケーション情報を搬送するＰＤＣＣＨを介して、Ｐａｇｉｎｇ情報および／またはサービスを搬送するキャリア周波数を取得するステップは：前記ＵＥにより、ブロードキャストを介して、Ｐａｇｉｎｇメッセージ情報および／またはマルチキャリアセルにおけるサービスを搬送するキャリア周波数のキャリア周波数リストを受信するステップ；前記ＵＥにより、ＰＤＣＣＨインデックスにおいて、Ｐａｇｉｎｇ情報および／または前記キャリア周波数リストにおけるサービスを搬送するキャリア周波数を取得するステップ；を有する。
【００４７】
これに代えて、前記ＵＥにより、ＰＤＣＣＨインデックスにおいて、Ｐａｇｉｎｇ情報および／または前記キャリア周波数リストにおけるサービスを搬送するキャリア周波数を取得するステップは：前記ＵＥにより、ダウンリンク制御情報（ＤＣＩ）を介して、前記ＰＤＣＣＨにおいて、Ｐａｇｉｎｇ情報および／または前記キャリア周波数リストにおけるサービスを搬送する前記キャリア周波数のインデックスを取得するステップを有する。
【００４８】
本技術の別実施形態によれば、以下のステップを有するキャリア周波数選択方法が提供される：ベースステーションにより、Ｐａｇｉｎｇ情報および／またはサービスを搬送するキャリア周波数を判定するステップ；前記ベースステーションにより、Ｐａｇｉｎｇインディケーション情報を搬送するＰＤＣＣＨを介して、Ｐａｇｉｎｇ情報および／またはサービスを搬送するキャリア周波数をＵＥに対して通知するステップであって、前記キャリア周波数は前記ＵＥにより、前記キャリア周波数において後続Ｐａｇｉｎｇ情報を送信しおよび／または後続サービスを実施するために用いられる、ステップ；を有する。
【００４９】
これに代えて、前記ベースステーションにより、Ｐａｇｉｎｇインディケーション情報を搬送するＰＤＣＣＨを介して、Ｐａｇｉｎｇ情報および／またはサービスを搬送するキャリア周波数をＵＥに対して通知するステップは：前記ベースステーションにより、ブロードキャストの形式で、Ｐａｇｉｎｇメッセージ情報および／またはマルチキャリアセルにおけるサービスを搬送するキャリア周波数のキャリア周波数リストを前記ＵＥに対して送信するステップ；前記ベースステーションにより、ＰＤＣＣＨインデックスにおいて、Ｐａｇｉｎｇ情報および／または前記キャリア周波数リストにおけるサービスを搬送する前記キャリア周波数を搬送するステップ；を有する。
【００５０】
これに代えて、前記ベースステーションにより、ＰＤＣＣＨインデックスにおいて、Ｐａｇｉｎｇ情報および／または前記キャリア周波数リストにおけるサービスを搬送する前記キャリア周波数を搬送するステップは：前記ベースステーションにより、ＤＣＩを介して、前記ＰＤＣＣＨにおいて、Ｐａｇｉｎｇ情報および／または前記キャリア周波数リストにおけるサービスを搬送する前記キャリア周波数のインデックスを搬送するステップを有する。
【００５１】
本技術の別実施形態によれば、以下のステップを有するキャリア周波数選択方法が提供される：ＵＥにより、マルチキャリアセルのブロードキャスト情報においてサービスキャリア周波数リストが搬送されているか否かを判定するステップであって、前記サービスキャリア周波数リストはサービスを搬送するキャリア周波数を含む、ステップ；前記判定結果がＹＥＳである場合、前記ＵＥにより、前記ＵＥが前記サービスキャリア周波数リストにおけるサービスリクエストを開始するキャリア周波数として、キャリア周波数を規定ルールにしたがって選択するステップ；を有する。
【００５２】
これに代えて、前記ＵＥにより、前記ＵＥが前記サービスキャリア周波数リストにおけるサービスリクエストを開始するキャリア周波数として、キャリア周波数を規定ルールにしたがって選択するステップは：前記ＵＥにより、前記規定ルールにしたがって前記ＵＥがサービスリクエストを開始するキャリア周波数のキャリア周波数インデックスを取得するステップ；前記キャリア周波数インデックスにしたがって、前記ＵＥがサービスリクエストを開始するキャリア周波数を判定するステップ；を有する。
【００５３】
これに代えて、前記ＵＥにより、前記規定ルールにしたがって前記ＵＥがサービスリクエストを開始するキャリア周波数のキャリア周波数インデックスを取得するステップは：前記ＵＥにより、前記ＵＥのＩＤと、前記ＵＥがサービスリクエストを開始する複数のキャリア周波数のｍｏｄ演算とに基づき、前記キャリア周波数インデックスを取得するステップを有する。
【００５４】
本技術の別実施形態によれば、以下のステップを有するキャリア周波数選択方法が提供される：ベースステーションにより、サービスキャリア周波数リストを判定するステップであって、前記サービスキャリア周波数リストはサービスを搬送するキャリア周波数を含み、前記サービスキャリア周波数リストは、前記サービスキャリア周波数リストにおけるサービスリクエストを前記ＵＥが開始するキャリア周波数を前記ＵＥが規定ルールにしたがって選択するために用いられる、ステップ；前記ベースステーションにより、マルチキャリアセルにおけるブロードキャスト情報において、前記サービスキャリア周波数リストを搬送するステップ。
【００５５】
本技術の別実施形態によれば、ＵＥにおけるキャリア周波数選択装置が提供され、前記キャリア周波数選択装置は以下を備える：ベースステーションが送信したサービスキャリア周波数の情報が受信されたか否かを判定するように構成された第１判定モジュールであって、前記サービスキャリア周波数は、前記ＵＥに対してサービス提供するターゲットセルがマルチキャリアセルであるとき前記ベースステーションが選択したサービスを搬送するキャリア周波数である、第１判定モジュール；ベースステーションが送信したサービスキャリア周波数の前記情報が受信されたと判定されたとき、サービスキャリア周波数の前記情報に対応するキャリア周波数を選択し、ベースステーションが送信したサービスキャリア周波数の前記情報が受信されなかったと判定されたとき、独自のキャリア周波数を選択するように構成された、モジュール。
【００５６】
本技術の別実施形態によれば、ベースステーションにおけるキャリア周波数選択装置が提供され、前記キャリア周波数選択装置は以下を備える：ＵＥに対してサービス提供するターゲットセルがマルチキャリアセルであるか否かを判定するように構成された第２判定モジュール；ＵＥに対してサービス提供する前記ターゲットセルがマルチキャリアセルであると判定された場合、サービスキャリア周波数の情報を前記ＵＥに対して送信するように構成された第１送信モジュールであって、前記サービスキャリア周波数は前記ベースステーションが前記ＵＥについて選択したサービスを搬送するキャリア周波数である、第１送信モジュール。
【００５７】
本技術の別実施形態によれば、ＵＥにおけるキャリア周波数選択装置が提供され、前記キャリア周波数選択装置は以下を備える：マルチキャリアセルのブロードキャスト情報がＰａｇｉｎｇキャリア周波数リストおよび／または複数のＰａｇｉｎｇキャリア周波数を搬送しているか否かを判定するように構成された第３判定モジュールであって、前記Ｐａｇｉｎｇキャリア周波数リストはＰａｇｉｎｇメッセージを搬送するキャリア周波数を含み、前記複数のＰａｇｉｎｇキャリア周波数は前記Ｐａｇｉｎｇキャリア周波数リストを判定するために用いられる、第３判定モジュール；マルチキャリアセルの前記ブロードキャスト情報がＰａｇｉｎｇキャリア周波数リストおよび／または複数のＰａｇｉｎｇキャリア周波数を搬送していると判定された場合、Ｐａｇｉｎｇを受信しおよび／または前記Ｐａｇｉｎｇキャリア周波数リスト内のサービスを搬送するキャリア周波数として、キャリア周波数を規定ルールにしたがって選択するように構成された選択モジュール。
【００５８】
本技術の別実施形態によれば、ベースステーションにおけるキャリア周波数選択装置が提供され、前記キャリア周波数選択装置は以下を備える：Ｐａｇｉｎｇキャリア周波数リストおよび／または複数のＰａｇｉｎｇキャリア周波数を決定するように構成された第１決定モジュールであって、前記Ｐａｇｉｎｇキャリア周波数リストはＰａｇｉｎｇメッセージを搬送するキャリア周波数を含み、前記Ｐａｇｉｎｇキャリア周波数リストは、Ｐａｇｉｎｇを受信しおよび／または前記Ｐａｇｉｎｇキャリア周波数リストにおけるサービスを搬送するキャリア周波数として、キャリア周波数をユーザ機器（ＵＥ）が規定ルールにしたがって選択するために用いられ、前記複数のＰａｇｉｎｇキャリア周波数は前記Ｐａｇｉｎｇキャリア周波数リストを判定するために用いられる、第１決定モジュール；マルチキャリアセルのブロードキャスト情報において前記Ｐａｇｉｎｇキャリア周波数リストおよび／または前記複数のＰａｇｉｎｇキャリア周波数を搬送するように構成された第２送信モジュール。
【００５９】
本技術の別実施形態によれば、ＵＥにおけるキャリア周波数選択装置が提供され、前記キャリア周波数選択装置は以下を備える：Ｐａｇｉｎｇインディケーション情報を搬送するＰＤＣＣＨを介して、Ｐａｇｉｎｇ情報および／またはサービスを搬送するキャリア周波数を取得するように構成された取得モジュール；前記キャリア周波数において、後続Ｐａｇｉｎｇ情報を送信しおよび／または後続サービスを実施するように構成された送信モジュール。
【００６０】
本技術の別実施形態によれば、ベースステーションにおけるキャリア周波数選択装置が提供され、前記キャリア周波数選択装置は以下を備える：Ｐａｇｉｎｇ情報および／またはサービスを搬送するキャリア周波数を判定するように構成された第２判定モジュール；Ｐａｇｉｎｇインディケーション情報を搬送するＰＤＣＣＨを介して、Ｐａｇｉｎｇ情報および／またはサービスを搬送するキャリア周波数をＵＥに対して通知するように構成された第３送信モジュールであって、前記キャリア周波数は、前記キャリア周波数において前記ＵＥが後続Ｐａｇｉｎｇ情報を送信しおよび／または後続サービスを実施するために用いられる、第３判定モジュール。
【００６１】
本技術によれば、ＵＥにより、ベースステーションが送信したサービスキャリア周波数についての情報が受信されたか否かを判断され、前記サービスキャリア周波数は、前記ＵＥにサービスを提供するターゲットセルがマルチキャリアセルであるとき、前記ベースステーションが選択したトラフィックを搬送するキャリア周波数であり；判定結果がＹＥＳであるとき、前記ＵＥは、サービスキャリア周波数についての前記情報に対応するキャリア周波数において動作し、それ以外であれば、前記ＵＥは、独自のキャリア周波数において動作する。このように、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【００６２】
本明細書の図面は、本技術をさらに理解できるようにすることを意図しており、本願の一部を構成する。説明する本技術の実施形態は、本技術を説明することを意図しており、本発明を限定するものとして解釈すべきではない。
【図面の簡単な説明】
【００６３】
【図１】本技術の実施形態に係るキャリア周波数選択方法のフローチャートである。
【００６４】
【図２】本技術の実施形態に係るキャリア周波数選択装置を示す構造ブロック図である。
【００６５】
【図３】本技術の実施形態に係るキャリア周波数選択方法の別フローチャートである。
【００６６】
【図４】本技術の実施形態に係るキャリア周波数選択装置を示す別構造ブロック図である。
【００６７】
【図５】本技術の実施形態に係るキャリア周波数選択方法の別フローチャートである。
【００６８】
【図６】本技術の実施形態に係るキャリア周波数選択装置を示す別構造ブロック図である。
【００６９】
【図７】本技術の実施形態に係るキャリア周波数選択方法ＩＩの別フローチャートである。
【００７０】
【図８】本技術の実施形態に係るキャリア周波数選択装置ＩＩを示す別構造ブロック図である。
【００７１】
【図９】本技術の実施形態に係るキャリア周波数選択方法Ｉの別フローチャートである。
【００７２】
【図１０】本技術の実施形態に係るキャリア周波数選択装置Ｉを示す別構造ブロック図である。
【００７３】
【図１１】本技術の実施形態に係るキャリア周波数選択方法ＩＩの別フローチャートである。
【００７４】
【図１２】本技術の実施形態に係るキャリア周波数選択装置ＩＩを示す別構造ブロック図である。
【００７５】
【図１３】本技術の実施形態Ｉのフローチャートである。
【００７６】
【図１４】本技術の実施形態ＩＩのフローチャートである。
【００７７】
【図１５】本技術の実施形態ＩＩＩのフローチャートである。
【００７８】
【図１６】本技術の実施形態ＩＶのフローチャートである。
【００７９】
【図１７】本技術の実施形態Ｖのフローチャートである。
【００８０】
【図１８】本技術の実施形態ＶＩのフローチャートである。
【００８１】
【図１９】本技術の実施形態ＶＩＩのフローチャートである。
【００８２】
【図２０】本技術の実施形態ＶＩＩＩのフローチャートである。
【００８３】
【図２１】本技術の実施形態ＩＸのフローチャートである。
【００８４】
【図２２】本技術の実施形態Ｘのフローチャートである。
【００８５】
【図２３】本技術の実施形態ＸＩのフローチャートである。
【００８６】
【図２４】本技術の実施形態ＸＩＩのフローチャートである。
【００８７】
【図２５】本技術の実施形態ＸＩＩＩのフローチャートである。
【００８８】
【図２６】本技術の実施形態に係るキャリア周波数選択方法ＩＩＩの別フローチャートである。
【００８９】
【図２７】本技術の実施形態に係るキャリア周波数選択方法ＩＶの別フローチャートである。
【発明を実施するための形態】
【００９０】
図面と実施形態を参照して以下に本技術を詳細に説明する。本願の実施形態と実施形態内の特徴は、矛盾しない限り互いに組み合わせることができる。
【００９１】
本願明細書、特許請求範囲、および図面における“第１”、“第２”、などの用語は、類似オブジェクトを区別するために用いており、特定の順序や連続を表すものではない。
【００９２】
本実施形態において、キャリア周波数選択方法を提供する。図１は、本技術の実施形態に係るキャリア周波数選択方法のフローチャートである。図１に示すように、プロセスは以下のステップを有する：
・ステップＳ１０２：ＵＥにより、ベースステーションが送信したサービスキャリア周波数についての情報が受信されたか否かを判断するステップであって、前記サービスキャリア周波数は、前記ＵＥにサービスを提供するターゲットセルがマルチキャリアセルであるとき、前記ベースステーションが選択したトラフィックを搬送するキャリア周波数である、ステップ；
・ステップＳ１０４：前記ＵＥは、前記判定の結果がＹＥＳであるときサービスキャリア周波数についての前記情報に対応するキャリア周波数において動作し、それ以外であれば、前記ＵＥは、独自のキャリア周波数において動作する、ステップ。
【００９３】
以上のステップにより、ＵＥに対してサービスを提供するターゲットセルがマルチキャリアセルである場合、ベースステーションはトラフィックを搬送するキャリア周波数を選択し、ＵＥに対してサービスキャリア周波数についての情報を送信する。サービスキャリア周波数についての情報を受信することにより、ＵＥは対応するサービスキャリア周波数を選択してデータ送受信を実施する。ＵＥがサービスキャリア周波数についての情報を受信していない場合、ＵＥは独自のキャリア周波数において動作する。これにより、ＵＥが動作するキャリア周波数はベースステーションが動的に選択したトラフィック搬送キャリア周波数となる。したがって、関連技術においてサービスキャリア周波数選択方法は選択が受動的であり主体性を欠くという課題は解決され、トラフィックを搬送するキャリア周波数の負荷アンバランスに対する技術的基礎が提供され、さらには主に少量データを送信するＮＢ−ＩｏＴシステムのシステム効率が向上する。
【００９４】
本明細書のベースステーションは、ｅｖｏｌｖｅｄベースステーション（ｅＮｏｄｅＢ）であってもよい。
【００９５】
望ましい実施形態として、ベースステーションは、サービスキャリア周波数についての情報を、ＲＲＣ接続セットアップリクエスト、ＲＲＣ接続再開リクエスト、ＲＲＣ接続再確立メッセージ、またはＲＲＣ接続再構成メッセージとともに送信する。この場合、ステップＳ１０２において、ＲＲＣ接続セットアップメッセージ、ＲＲＣ接続再開メッセージ（すなわち、ＲＲＣ接続再開完了メッセージ）、ＲＲＣ接続再確立メッセージ、またはＲＲＣ接続再構成メッセージが受信され、次に、ＲＲＣ接続セットアップメッセージ、ＲＲＣ接続再開メッセージ、ＲＲＣ接続再確立メッセージ、またはＲＲＣ接続再構成メッセージがサービスキャリア周波数についての情報を搬送しているか否かが判定される。
【００９６】
望ましい実施形態として、ベースステーションが送信したサービスキャリア周波数についての情報を受信したとＵＥが判断した場合、ＵＥは以後のフローをそのサービスキャリア周波数で実施する。それ以外であれば、ＵＥは現在のキャリア周波数で以後のフローを実施する。これに代えて、ＵＥの後続フローは、ＵＥの全プロセスを含んでもよい。例えば現在の接続モードにおけるデータ送受信プロセス、シグナリング送受信プロセス、ランダムプロセスである。
【００９７】
これに代えて、セルがブロードキャストしたランダムアクセスパラメータは、サービスキャリア周波数のランダムアクセスパラメータとして用いてもよい。
【００９８】
ＵＥがＩＤＬＥ状態であるとき、ＵＥはブロードキャストチャネルを搬送するキャリア周波数で動作することが望ましい。具体的な実装は以下の通りである。
【００９９】
１．セルにおいて初期選択を実施するとき、ＵＥはブロードキャストチャネルがあるキャリア周波数を監視し、ブロードキャストチャネルを搬送するキャリア周波数において動作することのみを選択する。
【０１００】
２．セルにおいて再選択を実施するとき、ブロードキャスト情報構成設定にしたがって手順を実施する。具体的には、ブロードキャスト情報を構成するとき、隣接キャリア周波数は、ブロードキャストチャネルを搬送するキャリア周波数に基づいてセットする。このようにＵＥは再選択を実施するとき、ブロードキャストチャネルを搬送するキャリア周波数を自動的に再選択する。
【０１０１】
３．ＵＥがＲＲＣ接続状態からＩＤＬＥモードにスイッチしたとき、ＵＥはブロードキャストチャネルを搬送するキャリア周波数で動作することが特定される。具体的な実装は以下の通りである。
【０１０２】
ステップＳ１０２において、ベースステーションが送信したＲＲＣ接続一時停止メッセージ、および／またはＲＲＣ接続セットアップメッセージ、および／またはＲＲＣ接続再開メッセージを受信した場合、および、ＲＲＣリリースメッセージまたはＲＲＣ接続一時停止メッセージがサービスキャリア周波数（リダイレクト情報エレメントとも呼ばれる）を搬送する場合、サービスキャリア周波数についての情報はブロードキャストチャネルを搬送するキャリア周波数に対応する情報によって充填され、これによりＵＥはブロードキャストチャネルを搬送するキャリア周波数で動作する；ＲＲＣリリースメッセージおよび／またはＲＲＣ接続一時停止メッセージがサービスキャリア周波数（リダイレクト情報エレメントとも呼ばれる）についての情報を搬送していないが、ＲＲＣ接続セットアップメッセージまたはＲＲＣ接続再開メッセージがサービスキャリア周波数（リダイレクト情報エレメント）についての情報を搬送している場合、ＵＥはＲＲＣ接続セットアップメッセージ内またはＲＲＣ接続再開メッセージ内のサービスキャリア周波数についての情報に対応するキャリア周波数で動作する；ＲＲＣリリースメッセージ、および／またはＲＲＣ接続一時停止メッセージ、および／またはＲＲＣ接続セットアップメッセージ、および／またはＲＲＣ接続再開メッセージがいずれもサービスキャリア周波数（リダイレクトセルとも呼ばれる）についての情報を搬送していない場合、ＵＥは自動的に、現行セルのリリース後のブロードキャストチャネルと同期チャネルを搬送するキャリア周波数で動作する。
【０１０３】
具体的には、マルチキャリアセルによってサービスを受けるＵＥが接続モードからアイドルモードへスイッチしたとき、ＵＥがキャリア周波数を選択する手順は以下の通りである：ベースステーションが送信したＲＲＣリリースメッセージまたはＲＲＣ接続一時停止メッセージを受信したと判定し、ＲＲＣリリースメッセージまたはＲＲＣ接続一時停止メッセージがサービスキャリア周波数についての情報を搬送しているとき、ＵＥは、ＲＲＣリリースメッセージ内またはＲＲＣ接続一時停止メッセージ内のサービスキャリア周波数についての情報に対応するキャリア周波数で動作する；ベースステーションが送信したＲＲＣリリースメッセージまたはＲＲＣ接続一時停止メッセージ、および／またはＲＲＣ接続セットアップメッセージ、および／またはＲＲＣ接続再開メッセージを受信したと判定し、ＲＲＣリリースメッセージおよび／またはＲＲＣ接続一時停止メッセージがサービスキャリア周波数についての情報を搬送していないがＲＲＣ接続セットアップメッセージまたはＲＲＣ接続再開メッセージがサービスキャリア周波数についての情報を搬送している場合、ＵＥは、ＲＲＣ接続セットアップメッセージ内またはＲＲＣ接続再開メッセージ内のサービスキャリア周波数についての情報に対応するキャリア周波数で動作する；ベースステーションが送信したＲＲＣリリースメッセージまたはＲＲＣ接続一時停止メッセージ、および／またはＲＲＣ接続セットアップメッセージ、および／またはＲＲＣ接続再開メッセージを受信したと判定し、ＲＲＣリリースメッセージ、ＲＲＣ接続一時停止メッセージ、および／またはＲＲＣ接続セットアップメッセージ、および／またはＲＲＣ接続再開メッセージのいずれもサービスキャリア周波数についての情報を搬送していない場合、ＵＥは最後にアイドルモードで動作したときのキャリア周波数で動作する。
【０１０４】
これに代えて、ベースステーションが送信したサービスキャリア周波数についての情報を受信したとＵＥが判定した場合、ＵＥは、ＲＲＣ接続セットアップメッセージ、ＲＲＣ接続再開メッセージ、ＲＲＣ接続再確立メッセージ、ＲＲＣ接続再構成メッセージ、またはシステム情報ブロック（ＳＩＢ）から、サービスキャリア周波数のナローバンド基準信号（ＮＲＳ）の送信パワーについての情報を受信する。サービスキャリア周波数のナローバンド基準信号（ＮＲＳ）の送信パワーについての情報は、ＵＥが用いるＮＲＳのリソースエレメントごとのエネルギー（Ｅｎｅｒｇｙ  Ｐｅｒ  Ｒｅｓｏｕｒｃｅ  Ｅｌｅｍｅｎｔ：ＥＰＲＥ）を提供し、これは基準信号受信パワー（ＲＳＲＰ）測定および／または経路ロス計算のために用いることができる。サービスキャリア周波数に対応するＮＲＳの送信パワーについての情報は、アンカーキャリアのＮＲＳのパワーからの偏差によって特徴付けることができ、あるいは、サービスキャリア周波数に対応するＮＲＳの送信パワーについての情報は、サービスキャリア周波数のＮＲＳのパワーの絶対値によって特徴付けることができる。
【０１０５】
さらに、セルのブロードキャストチャネルを搬送するキャリア周波数は、ＳＩＢ情報またはＲＲＣシグナリングから取得することができる。
【０１０６】
望ましい実施形態として、ベースステーションが送信したサービスキャリア周波数についての情報をＵＥが受信する前、ＵＥは自身のマルチキャリアサポート能力についての情報をベースステーションに対して送信してもよい。このとき、ＵＥのマルチキャリアサポート能力についての情報は、ＵＥがマルチキャリア機能をサポートするか否かを示すために用いられる。実施形態において、ＵＥがマルチキャリア機能をサポートしているということは、ベースステーションによって構成されたサービスキャリア周波数についての情報をＵＥが受け入れることができるということを意味する。
【０１０７】
ＵＥのマルチキャリアサポート能力についての情報は、以下のいずれかのメッセージによって搬送することができる：ＲＲＣ接続セットアップリクエスト、ＲＲＣ接続再開リクエスト、ＲＲＣ接続再確立リクエスト。
【０１０８】
これに代えて、ベースステーションが送信したサービスキャリア周波数についての情報を受信したとＵＥが判断する前、ＵＥはＳＩＢを介して、サービスキャリア周波数のＮＲＳの送信パワーについての情報を受信する。サービスキャリア周波数のＮＲＳの送信パワーについての情報は、ＵＥが用いるＮＲＳのリソースエレメントごとのエネルギー（Ｅｎｅｒｇｙ  Ｐｅｒ  Ｒｅｓｏｕｒｃｅ  Ｅｌｅｍｅｎｔ：ＥＰＲＥ）を提供し、ＵＥがサービスキャリア周波数を割り当てられたときこれを用いてＲＳＲＰ測定および／または経路ロス計算を実施する。サービスキャリア周波数に対応するＮＲＳの送信パワーについての情報は、アンカーキャリアのＮＲＳのパワーからの偏差によって特徴付けることができ、あるいは、サービスキャリア周波数に対応するＮＲＳの送信パワーについての情報は、サービスキャリア周波数のＮＲＳのパワーの絶対値によって特徴付けることができる。
【０１０９】
これに代えて、ＵＥがベースステーションに対して初期ＰＲＡＣＨプロセスを開始する前、ＵＥは以下のように無線カバーレベルを判定する。
【０１１０】
ＵＥがアンカーキャリア上で動作するとき、ＵＥの無線カバーレベルは、ＵＥが測定したアンカーキャリアのナローバンド基準信号受信パワー（ＮＲＳＲＰ）を無線カバーレベル閾値と比較することにより、取得できる。
【０１１１】
ＵＥが非アンカーキャリア上で動作するとき、ＵＥの無線カバーレベルは、ＵＥが測定したアンカーキャリアのナローバンド基準信号受信パワー（ＮＲＳＲＰ）にオフセット値を加算したものを無線カバーレベル閾値と比較することにより、取得できる。このオフセット値は例えば、非アンカーキャリアのＮＲＳのパワーとアンカーキャリアのＮＲＳのパワーとの間の差分である。
【０１１２】
ＵＥが動作するキャリアのタイプにしたがってＵＥが無線カバーレベルを判定する具体的な方法は、以下の通りである：ＵＥがアンカーキャリア上で動作するときの初期ＰＲＡＣＨプロセスについて、ＵＥはブロードキャストメッセージを受信した後に無線カバーレベルＮＲＳＲＰ閾値［閾値０、閾値１］を取得する；無線カバーレベルは、無線カバーレベルＮＲＳＲＰ閾値と現行のＮＲＳＲＰ測定結果と比較することにより、以下のように決定される；ＮＲＳＲＰ値が閾値０以上であればカバーレベル０；ＮＲＳＲＰ値が閾値０未満である場合と閾値１以上である場合はカバーレベル１；ＮＲＳＲＰ値が閾値１未満であればカバーレベル２。ＵＥが非アンカーキャリア上で動作するときの初期ＰＲＡＣＨプロセスについて、ＵＥはブロードキャストメッセージを受信した後、無線カバーレベルＲＳＲＰ閾値［閾値０、閾値１］を取得する；無線カバーレベルは、無線カバーレベルＲＳＲＰ閾値を、現行ＲＳＲＰ測定結果に“アンカーキャリアのＮＲＳのパワーと非アンカーキャリアのＮＲＳのパワーとの間の偏差”を加えたものと比較することにより決定される；ＲＳＲＰ測定結果プラス“アンカーキャリアのＮＲＳのパワーと非アンカーキャリアのＮＲＳのパワーとの間の偏差”が閾値０以上であればカバーレベル０；ＲＳＲＰ測定結果プラス“アンカーキャリアのＮＲＳのパワーと非アンカーキャリアのＮＲＳのパワーとの間の偏差”が閾値０未満である場合と閾値１以上である場合はカバーレベル１；ＲＳＲＰ測定結果プラス“アンカーキャリアのＮＲＳのパワーと非アンカーキャリアのＮＲＳのパワーとの間の偏差”が閾値１未満であればカバーレベル２。上記判定において加算される“アンカーキャリアのＮＲＳのパワーと非アンカーキャリアのＮＲＳのパワーとの間の偏差”は、ＳＩＢにおいてブロードキャストされたＮＲＳのパワーについての情報に基づき取得することができる。
【０１１３】
上記実施形態に係る方法は、ソフトウェアと必要な一般的プラットフォームによって、またはハードウェアによって実現できることは、以上の実施形態から当業者にとって明らかである。しかし多くの場合、前者がより良い実装である。そのような理解に基づき、従来の技術的解決手段に対して実質的に寄与する部分は、記憶媒体（例えばＲＯＭ／ＲＡＭ、ディスク、光ディスク）に格納されたソフトウェア製品の形態で実施することができる。この記憶媒体は、端末デバイス（例えば携帯電話、コンピュータ、サーバ、ネットワークデバイス、など）に本技術の様々な実施形態の方法を実行させる複数の命令を格納したものである。
【０１１４】
本実施形態において、ユーザ機器（ＵＥ）におけるキャリア周波数選択装置を提供する。本装置を用いて、上記実施形態や望ましい実施形態を実施することができ、以上説明した事項は繰り返さない。以下において、用語“モジュール”は、規定機能のソフトウェアおよび／またはハードウェアの組み合わせを実装するものである。以下の実施形態における装置はソフトウェアによって実装することが望ましいが、ハードウェアによる実装やソフトウェアとハードウェアの組み合わせも可能であり、考え得るものである。
【０１１５】
図２は、本技術の実施形態に係るキャリア周波数選択装置を示す構造ブロック図である。図２に示すように、本装置は以下を備える：ベースステーションが送信したサービスキャリア周波数についての情報を受信したか否かを判定するように構成された第１判定モジュール２２、ここでいうサービスキャリア周波数は、ＵＥに対してサービスするターゲットセルがマルチキャリアセルであるときベースステーションが選択したトラフィックを搬送するキャリア周波数である；ベースステーションが送信したサービスキャリア周波数についての情報を受信したと第１判定モジュール２４が判定したとき、サービスキャリア周波数の情報に対応するキャリア周波数で動作し、または、ベースステーションが送信したサービスキャリア周波数についての情報が受信されていないと判定されたとき独自のキャリア周波数で動作するように構成されたモジュール２４。
【０１１６】
本実施形態において、別のキャリア周波数選択方法を提供する。図３は、本技術の実施形態に係る別のサービスキャリア周波数選択方法のフローチャートである。図３に示すように、本プロセスは以下のステップを有する：
・ステップＳ３０２、ベースステーションは、ＵＥにサービス提供するターゲットセルがマルチキャリアであるか否かを判定する；
・ステップＳ３０４、判定結果がＹＥＳであれば、ベースステーションはサービスキャリア周波数についての情報をＵＥに対して送信し、このサービスキャリア周波数はベースステーションが選択したトラフィックをＵＥへ搬送するキャリア周波数である。
【０１１７】
上記ステップにより、ＵＥにサービス提供するターゲットセルがマルチキャリアセルである場合、ベースステーションは、サービスキャリア周波数についての情報をＵＥに対して送信し、このサービスキャリア周波数はベースステーションが選択したトラフィックをＵＥへ搬送するキャリア周波数である。これによりＵＥは、対応するキャリア周波数を選択して、サービスキャリア周波数についての情報を受信することによりデータ送受信を実施することができ、ＵＥが動作するキャリア周波数はベースステーションが動的に選択したトラフィックを搬送するキャリア周波数である。したがって、関連技術においてサービスキャリア周波数選択方法は選択を受動的に実施するものであり主体性を欠くという課題が解決され、トラフィックを搬送するキャリア周波数の負荷バランスのための技術的基礎が提供され、さらに少量データを主に送信するＮＢ−ＩｏＴシステムの効率が向上する。
【０１１８】
望ましい実施形態として、ＲＲＣ接続セットアップリクエスト、ＲＲＣ接続再開再構成リクエスト、またはＲＲＣ接続再確立リクエストを介して、ＵＥは自身のマルチキャリアセルサポート能力についての情報をベースステーションに対して送信する。この場合ベースステーションは、ステップＳ３０２の前に、ＲＲＣ接続セットアップリクエスト、ＲＲＣ接続再開リクエスト、またはＲＲＣ接続再確立リクエストをＵＥから受信する。これに代えてベースステーションは、ＲＲＣ接続セットアップメッセージにおいてサービスキャリア周波数についての情報を搬送してこれをＵＥへ送信し、あるいはベースステーションは、ＲＲＣ接続再開メッセージにおいてサービスキャリア周波数についての情報を搬送してこれをＵＥへ送信し、あるいはベースステーションは、ＲＲＣ接続再確立メッセージにおいてサービスキャリア周波数についての情報を搬送してこれをＵＥへ送信し、あるいはベースステーションは、ＲＲＣ接続再構成メッセージにおいてサービスキャリア周波数についての情報を搬送してこれをＵＥへ送信する。
【０１１９】
これに代えて、ベースステーションによってサービスキャリア周波数についての情報をＵＥへ送信するステップは：ベースステーションにより、関連するメッセージにおいて同時に、サービスキャリア周波数のＮＲＳの送信パワーについての情報をＵＥへ送信するステップを有する。サービスキャリア周波数に対応するＮＲＳの送信パワーについての情報は、ＵＥが用いるＮＲＳのリソースエレメントごとのエネルギー（Ｅｎｅｒｇｙ  Ｐｅｒ  Ｒｅｓｏｕｒｃｅ  Ｅｌｅｍｅｎｔ）を提供し、これを用いてＲＳＲＰ測定および／または経路ロス計算を実施する。サービスキャリア周波数のＮＲＳの送信パワーについての情報は、アンカーキャリアのＮＲＳのパワーからの偏差によって特徴付けることができ、あるいは、サービスキャリア周波数のＮＲＳの送信パワーについての情報は、サービスキャリア周波数のＮＲＳのパワーの絶対値によって特徴付けることができる。
【０１２０】
望ましい実施形態として、ベースステーションは、ＲＲＣ接続セットアップリクエスト、ＲＲＣ接続再開リクエスト、またはＲＲＣ接続再確立リクエストから、ＵＥのマルチキャリアサポート能力についての情報を取得する。ＵＥのマルチキャリアサポート能力についての情報を用いて、ＵＥがマルチキャリア機能をサポートするか否かを示す。本実施形態において、ＵＥのマルチキャリアサポート能力についての情報により、ＵＥがマルチキャリア機能をサポートすることが示されている場合、ベースステーションは、マルチキャリアのサービスキャリア周波数を選択し、マルチキャリア機能をサポートするＵＥのサービスキャリア周波数についての情報を構成することができる。マルチキャリア機能をサポートするＵＥは、ベースステーションが構成したサービスキャリア周波数についての情報を受け入れることができる。
【０１２１】
ＵＥが現在ＩＤＬＥ状態であるとき、ＵＥはブロードキャストチャネルを搬送するキャリア周波数で動作することが望ましい。具体的な実装は以下の通りである。
【０１２２】
１．セルにおいて初期選択を実施するとき、ＵＥはブロードキャストチャネルがあるキャリア周波数のみを監視し、ブロードキャストチャネルを搬送するキャリア周波数で動作することのみを選択するようにする。
【０１２３】
２．セルにおいて再選択を実施するとき、ブロードキャスト情報構成手順にしたがって動作する。具体的には、ブロードキャスト情報を構成する際に、隣接キャリア周波数はブロードキャストチャネルを搬送するキャリア周波数に基づいている。このように、ＵＥは再選択を実施するとき、ブロードキャストチャネルを搬送するキャリア周波数を自動的に再選択する。
【０１２４】
３．ＵＥがＲＲＣ接続状態からＩＤＬＥ状態にスイッチするとき、ＵＥはブロードキャストチャネルを搬送するキャリア周波数で動作する。具体的な実装は以下の通りである。
【０１２５】
ＲＲＣリリースメッセージまたはＲＲＣ接続一時停止メッセージにおいて、サービスキャリア周波数（リダイレクト情報エレメントとも呼ばれる）についての情報をベースステーションが搬送する場合、サービスキャリア周波数についての情報は、ブロードキャストチャネルを搬送するキャリア周波数に対応する情報のみで充填され、これによりＵＥはブロードキャストチャネルを搬送するキャリア周波数で動作する；ＲＲＣリリースメッセージまたはＲＲＣ接続一時停止メッセージにおいて、サービスキャリア周波数（リダイレクト情報エレメントとも呼ばれる）についての情報をベースステーションが搬送しない場合、ＵＥは自動的に、リリース後に現行セルのブロードキャストチャネルと同期チャネルを搬送するキャリア周波数で動作する。
【０１２６】
具体的には、ブロードキャストチャネルを搬送するキャリア周波数についての情報は、ＲＲＣリリースメッセージ内またはＲＲＣ接続一時停止メッセージ内において搬送され、これにより、ブロードキャストチャネルを搬送するキャリア周波数で動作するようにＵＥをガイドする；あるいは、ブロードキャストチャネルを搬送するキャリア周波数についての情報は、ＲＲＣ接続セットアップメッセージ内またはＲＲＣ再開完了メッセージ内において搬送されるが、ブロードキャストチャネルを搬送するキャリア周波数についての情報は、ＲＲＣリリースメッセージまたはＲＲＣ接続一時停止メッセージにおいては搬送されず、ＵＥはＲＲＣリリースまたはＲＲＣ接続一時停止を実施するとき、ＲＲＣ接続セットアップまたはＲＲＣ再開完了メッセージ内で搬送されるブロードキャストチャネルを搬送するキャリア周波数において自動的に動作する；あるいは、ブロードキャストチャネルを搬送するキャリア周波数についての情報は、ＲＲＣ接続セットアップメッセージまたはＲＲＣ再開完了メッセージにおいては搬送されず、ブロードキャストチャネルを搬送するキャリア周波数についての情報は、ＲＲＣリリースメッセージまたはＲＲＣ接続一時停止メッセージにおいても搬送されず、ＵＥはＲＲＣリリースまたはＲＲＣ接続一時停止を実施するとき、ＩＤＬＥモードにおいて最後にブロードキャストを受信したキャリア周波数において自動的に動作する。
【０１２７】
さらに、セルにおいてブロードキャストチャネルを搬送するキャリア周波数は、ＳＩＢ情報またはＲＲＣシグナリングから取得することができる。
【０１２８】
望ましい実施形態として、ベースステーションがＵＥに対してサービスキャリア周波数についての情報を送信する場合、ベースステーションはサービスキャリア周波数においてＵＥについて後続フローを実施する；それ以外であれば、ベースステーションは現行キャリアにおいてＵＥについて後続フローを実施する。これに代えて、ベースステーションがＵＥに対して実施する後続フローは、ＵＥの全プロセスを含んでもよい。例えば現行接続モードにおけるデータ送受信プロセス、シグナリング送受信プロセス、ランダムプロセス、である。
【０１２９】
これに代えて本方法はさらに以下のステップを備える：システムメッセージブロック（ＳＩＢ）、ＲＲＣ接続セットアップメッセージ、ＲＲＣ接続再開メッセージ、ＲＲＣ接続再確立メッセージ、またはＲＲＣ接続再構成メッセージを介して、ベースステーションにより、サービスキャリア周波数のＮＲＳの送信パワーについての情報をＵＥに対して送信するステップ。サービスキャリア周波数のナローバンド基準信号（ＮＲＳ）の送信パワーについての情報は、ＵＥが用いるＮＲＳのリソースエレメントごとのエネルギー（Ｅｎｅｒｇｙ  Ｐｅｒ  Ｒｅｓｏｕｒｃｅ  Ｅｌｅｍｅｎｔ）を提供し、これを用いて、ＵＥがサービスキャリア周波数を割り当てられたとき基準信号受信パワー（ＲＳＲＰ）測定および／または経路ロス計算を実施する。サービスキャリア周波数のＮＲＳの送信パワーについての情報は、アンカー周波数のＮＲＳのパワーからの偏差によって特徴付けることができ、あるいは、サービスキャリア周波数のＮＲＳの送信パワーについての情報は、サービスキャリア周波数のＮＲＳのパワーの絶対値によって特徴付けることができる。
【０１３０】
これに代えてベースステーションは、ＵＥに対してランダムアクセスパラメータをブロードキャストしてもよい。ランダムアクセスパラメータは、セル内の全キャリア周波数に対して適用される。
【０１３１】
本実施形態において、ベースステーションにおける別のキャリア周波数選択装置を提供する。図４は、本技術の実施形態に係る別のキャリア周波数選択装置の構造ブロック図である。図４に示すように、本装置は以下を備える：ＵＥにサービス提供するターゲットセルがマルチキャリアセルであるか否かを判定するように構成された第２判定モジュール４２；ＵＥにサービス提供するターゲットセルがマルチキャリアセルであると第２判定モジュール４２が判定したとき、サービスキャリア周波数についての情報をＵＥに対して送信するように構成された第１送信モジュール４４、このサービスキャリア周波数はベースステーションが選択したトラフィックをＵＥのために搬送するキャリア周波数である。
【０１３２】
本実施形態において、キャリア周波数選択方法を提供する。図５は、本技術の実施形態に係る別のキャリア周波数選択方法のフローチャートである。図５に示すように、本方法は以下のステップを有する：
・ステップＳ５０２、ＵＥは、マルチキャリアセルのブロードキャスト情報がページングキャリア周波数リストおよび／または複数のページングキャリア周波数を搬送しているか否かを判定し、ページングキャリア周波数リストはページングメッセージを搬送するキャリア周波数を含み、複数のページングキャリア周波数はページングキャリア周波数リストを判定するために用いる；
・ステップＳ５０４、判定結果がＹＥＳである場合、ＵＥは規定ルールにしたがって、ページングを受信するためのキャリア周波数として、および／または、ページングキャリア周波数リストにおけるトラフィックを搬送するキャリア周波数として、キャリア周波数を選択する。
【０１３３】
上記ステップによりベースステーションは、マルチキャリアセルのブロードキャスト情報において、ページングキャリア周波数リストおよび／または複数のページングキャリア周波数を搬送し、複数のページングキャリア周波数はページングキャリア周波数リストを判定するために用いられ、ページングキャリア周波数リストはページングメッセージを搬送するキャリア周波数を含む。ＵＥは規定ルールにしたがって、ページングを受信するためのキャリア周波数として、および／または、ページングキャリア周波数リストにおけるトラフィックを搬送するキャリア周波数として、キャリア周波数を選択する。これによりＵＥのキャリア周波数は、ベースステーションが動的に選択したキャリア周波数となる。したがって、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【０１３４】
望ましい実施形態として、上記実施形態において与えられるサービスキャリア周波数を特定する情報をＵＥが受信した場合、上記方法にしたがって特定したサービスキャリア周波数上で後続サービスフローを実施し、サービスキャリア周波数は本実施形態によって与えられる規定ルールにしたがって選択され、上記実施形態によって与えられるサービスキャリア周波数を特定する情報をＵＥが受信しなかった場合、後続サービスフローはサービスキャリア周波数において実施される。
【０１３５】
上記キャリア周波数セットにおけるキャリア周波数をＵＥが選択する規定ルールは複数存在する。例えばＵＥのＩＤに基づき対応するキャリア周波数インデックスを取得すること、ページングメッセージを搬送する複数のキャリア周波数のｍｏｄ演算が挙げられる。すなわち、ＵＥは規定ルールにしたがって、Ｐａｇｉｎｇを受信するおよび／またはトラフィックを搬送するキャリア周波数に対応するキャリア周波数インデックスを取得し、そのキャリア周波数インデックスにしたがって、Ｐａｇｉｎｇを受信するおよび／またはトラフィックを搬送するキャリア周波数を判定する。ＵＥのＩＤと、Ｐａｇｉｎｇメッセージを搬送する複数のキャリア周波数のｍｏｄ演算とに基づき、ＵＥはキャリア周波数インデックスを取得する。あるいは、キャリア周波数もしくはキャリア周波数インデックスは他の同様の方法により取得してもよい。Ｐａｇｉｎｇメッセージを搬送するキャリア周波数のリストは、マルチキャリアセルの全キャリア周波数のリストであってもよい。これは全キャリア周波数がＰａｇｉｎｇメッセージを搬送することを意味する。
【０１３６】
ＩＤＬＥモードにおいてＵＥは、ブロードキャストチャネルを搬送するキャリアと、自身のＰａｇｉｎｇメッセージを搬送するキャリアを、周波数ホッピングにより監視してもよい。具体的には、ＵＥはＰａｇｉｎｇ時点（Ｐａｇｉｎｇ  Ｏｃｃａｓｉｏｎ）において、および後続Ｐａｇｉｎｇメッセージ受信フェーズにおいて、自身のＰａｇｉｎｇメッセージを搬送するキャリアを監視する。ＵＥはその他時点において、ブロードキャストチャネルを搬送するキャリアを監視して、システムブロードキャストを受信するとともにネットワークとの同期を維持する。
【０１３７】
本実施形態において、ＵＥにおけるキャリア周波数選択装置を提供する。図６は、本技術の実施形態に係る別のキャリア周波数選択装置Ｉの構造ブロック図である。図６に示すように本装置は以下を備える：マルチキャリアセルのブロードキャスト情報がＰａｇｉｎｇキャリア周波数リストおよび／または複数のＰａｇｉｎｇキャリア周波数を搬送しているか否かを判定するように構成された第３判定モジュール６２、ここでいうＰａｇｉｎｇキャリア周波数リストはＰａｇｉｎｇメッセージを搬送するキャリアを含み、複数のＰａｇｉｎｇキャリア周波数はＵＥがＰａｇｉｎｇキャリア周波数リストを判定するために用いる；マルチキャリアセルのブロードキャスト情報がＰａｇｉｎｇキャリア周波数リストおよび／または複数のＰａｇｉｎｇキャリア周波数を搬送していると第３判定モジュール６２が判断した場合、規定ルールにしたがってＰａｇｉｎｇを受信するおよび／またはＰａｇｉｎｇキャリア周波数リスト内のトラフィックを搬送するキャリア周波数としてキャリア周波数を選択するように構成された選択モジュール６４。
【０１３８】
本実施形態において、キャリア周波数選択方法を提供する。図７は、本技術の実施形態に係る別のキャリア周波数選択方法ＩＩのフローチャートである。図７に示すように、本方法は以下のステップを含む：
・ステップＳ７０２、ベースステーションは、Ｐａｇｉｎｇキャリア周波数リストおよび／または複数のＰａｇｉｎｇキャリア周波数を判定し、Ｐａｇｉｎｇキャリア周波数リストはＰａｇｉｎｇメッセージを搬送するキャリア周波数を含み、Ｐａｇｉｎｇキャリア周波数リストは規定ルールにしたがってＰａｇｉｎｇを受信しおよび／またはＰａｇｉｎｇキャリア周波数リスト内のトラフィックを搬送するキャリア周波数としてＵＥがキャリア周波数を選択するために用いられ、複数のＰａｇｉｎｇキャリア周波数はＰａｇｉｎｇキャリア周波数リストを判定するために用いられる；
・ステップＳ７０４、ベースステーションは、マルチキャリアセルのブロードキャスト情報において、Ｐａｇｉｎｇキャリア周波数リストおよび／または複数のＰａｇｉｎｇキャリア周波数を搬送する。
【０１３９】
上記ステップにより、ベースステーションは、マルチキャリアセルのブロードキャスト情報において、Ｐａｇｉｎｇキャリア周波数リストおよび／または複数のＰａｇｉｎｇキャリア周波数を搬送し、複数のＰａｇｉｎｇキャリア周波数はＰａｇｉｎｇキャリア周波数リストを判定するために用いられ、ＵＥはＰａｇｉｎｇキャリア周波数リストは規定ルールにしたがってＰａｇｉｎｇを受信しおよび／またはＰａｇｉｎｇキャリア周波数リスト内のトラフィックを搬送するキャリア周波数としてキャリア周波数を選択し、これによりＵＥのキャリア周波数はベースステーションが動的に選択したキャリア周波数となる。したがって、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【０１４０】
望ましい実施形態として、上記実施形態において与えられるサービスキャリア周波数を特定する情報をＵＥが受信した場合、後続フローは上記方法にしたがって特定したサービスキャリア周波数で実施してもよい。サービスキャリア周波数は、本実施形態において与えられる規定ルールにしたがって選択され、上記実施形態において与えられるサービスキャリア周波数を特定する情報をＵＥが受信しなかった場合、後続サービスフローはそのサービスキャリア周波数で実施される。
【０１４１】
本実施形態において、ベースステーションにおけるキャリア周波数選択装置を提供する。図８は、本技術の実施形態に係る別のキャリア周波数選択装置を示す構造ブロック図である。図８に示すように、本装置は以下を備える：Ｐａｇｉｎｇキャリア周波数リストおよび／または複数のＰａｇｉｎｇキャリア周波数を判定するように構成された第１決定モジュール８２、ここでいうＰａｇｉｎｇキャリア周波数リストはＰａｇｉｎｇメッセージを搬送するキャリア周波数を含み、Ｐａｇｉｎｇキャリア周波数リストは規定ルールにしたがってＰａｇｉｎｇを受信しおよび／またはＰａｇｉｎｇキャリア周波数リスト内のトラフィックを搬送するキャリア周波数としてＵＥがキャリア周波数を選択するために用いられ、複数のＰａｇｉｎｇキャリア周波数はＵＥがＰａｇｉｎｇキャリア周波数リストを判定するために用いられる；マルチキャリアセルのブロードキャスト情報においてＰａｇｉｎｇキャリア周波数リストおよび／または複数のＰａｇｉｎｇキャリア周波数を搬送するように構成された第２送信モジュール８４。
【０１４２】
本実施形態において、キャリア周波数選択方法を提供する。図９は、本技術の実施形態に係るキャリア周波数選択方法Ｉのフローチャートである。図９に示すように、本方法は以下のステップを有する：
・ステップＳ９０２、ＵＥは、Ｐａｇｉｎｇインディケーション情報を搬送する物理ダウンリンク制御チャネル（ＰＤＣＣＨ）を介して、Ｐａｇｉｎｇ情報および／またはトラフィックを搬送するキャリア周波数を取得する；
・ステップＳ９０４、ＵＥはキャリア周波数において後続のＰａｇｉｎｇ情報および／または後続のトラフィックを送信する。
【０１４３】
上記ステップにより、ベースステーションは、Ｐａｇｉｎｇインディケーション情報を搬送するＰＤＣＣＨにおいて、Ｐａｇｉｎｇ情報および／またはトラフィックを搬送するキャリア周波数を搬送する。ＵＥは、ａｇｉｎｇインディケーション情報を搬送するＰＤＣＣＨを介して、Ｐａｇｉｎｇ情報および／またはトラフィックを搬送するキャリア周波数を取得し、後続のＰａｇｉｎｇ情報を送信しおよび／または後続のサービスを実施する。これによりＵＥのキャリア周波数はベースステーションが動的に選択したキャリア周波数となる。したがって、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【０１４４】
ＰＤＣＣＨにおいて搬送される情報量は小さいことを考慮して、ＵＥはブロードキャストを介して、Ｐａｇｉｎｇメッセージ情報および／またはマルチキャリアセルにおけるトラフィックを搬送するキャリア周波数のリストを受信し、ＰＤＣＣＨインデックスにおけるＰａｇｉｎｇメッセージ情報および／またはキャリア周波数リストにおけるトラフィックを搬送するキャリア周波数を取得し、これによりキャリア周波数リストとインデックスを介して対応するキャリア周波数を取得することができる。
【０１４５】
具体的には、ＵＥはＤＣＩを介して、ＰＤＣＣＨにおいて、Ｐａｇｉｎｇ情報および／またはキャリア周波数リストにおけるトラフィックを搬送するキャリア周波数のインデックスを取得することができる。
【０１４６】
本実施形態において、ベースステーションにおけるキャリア周波数選択装置を提供する。図１０は、本技術の実施形態に係る別のキャリア周波数選択装置Ｉを示す構造ブロック図である。図１０に示すように、本装置は以下を備える：Ｐａｇｉｎｇインディケーション情報を搬送するＰＤＣＣＨを介して、Ｐａｇｉｎｇ情報および／またはトラフィックを搬送するキャリア周波数を取得するように構成された取得モジュール１０２；キャリア周波数において後続Ｐａｇｉｎｇ情報を送信しおよび／または後続サービスを実施するように構成された送信モジュール１０４。
【０１４７】
本実施形態において、キャリア周波数選択方法を提供する。図１１は、本技術の実施形態に係る別のキャリア周波数選択方法ＩＩのフローチャートである。図１１に示すように本方法は以下のステップを有する：
・ステップＳ１１０２、ベースステーションは、Ｐａｇｉｎｇ情報および／またはトラフィックを搬送するキャリア周波数を決定する；
・ステップＳ１１０４、ベースステーションは、Ｐａｇｉｎｇインディケーション情報を搬送するＰＤＣＣＨを介して、Ｐａｇｉｎｇ情報および／またはトラフィックを搬送するキャリア周波数をＵＥに対して通知する。ＵＥはそのキャリア周波数を用いて、後続Ｐａｇｉｎｇ情報および／または後続トラフィックを送信する。
【０１４８】
上記ステップにより、ベースステーションは、Ｐａｇｉｎｇインディケーション情報を搬送するＰＤＣＣＨにおいて、Ｐａｇｉｎｇ情報および／またはトラフィックを搬送するキャリア周波数を搬送し、ＵＥはＰａｇｉｎｇ情報および／またはトラフィックを搬送するキャリア周波数を取得し、後続Ｐａｇｉｎｇ情報を送信しおよび／または後続サービスを実施し、これによりＵＥのキャリア周波数はベースステーションが動的に選択したキャリア周波数となる。したがって、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【０１４９】
ＰＤＣＣＨにおいて搬送される情報量は小さいことを考慮して、ベースステーションはブロードキャストを介して、Ｐａｇｉｎｇメッセージ情報および／またはマルチキャリアセルにおけるトラフィックを搬送するキャリア周波数のリストを受信し、ＰＤＣＣＨインデックスにおけるＰａｇｉｎｇメッセージ情報および／またはキャリア周波数リストにおけるトラフィックを搬送するキャリア周波数を搬送する。
【０１５０】
具体的には、ベースステーションはＤＣＩを介して、ＰＤＣＣＨにおいて、Ｐａｇｉｎｇ情報および／またはキャリア周波数リストにおけるトラフィックを搬送するキャリア周波数のインデックスを搬送することができる。
【０１５１】
本実施形態において、ベースステーションにおけるキャリア周波数選択装置を提供する。図１２は、本技術の実施形態に係る別のキャリア周波数選択装置ＩＩの構造ブロック図である。図１２に示すように、本装置は以下を備える：Ｐａｇｉｎｇ情報および／またはトラフィックを搬送するキャリア周波数を判定するように構成された第２判定モジュール１２２；Ｐａｇｉｎｇインディケーション情報を搬送するＰＤＣＣＨを介して、Ｐａｇｉｎｇ情報および／またはトラフィックを搬送するキャリア周波数をＵＥに対して通知するように構成された第３送信モジュール１２４、ここでいうキャリア周波数は、ＵＥがそのキャリア周波数を用いて後続Ｐａｇｉｎｇ情報を送信しおよび／または後続サービスを実施するために用いる。
【０１５２】
本実施形態において、キャリア周波数選択方法を提供する。図２６は、本技術の実施形態に係る別のキャリア周波数選択方法ＩＩＩのフローチャートである。図２６に示すように本方法は以下のステップを有する：
・ステップＳ２６０２、ＵＥは、サービスキャリア周波数リストがマルチキャリアセルのブロードキャスト情報において搬送されているか否かを判定し、このサービスキャリア周波数リストはトラフィックを搬送するキャリア周波数を含む；
・ステップＳ２６０４、判定結果がＹＥＳである場合、ＵＥは規定ルールにしたがって、サービスキャリア周波数リストにおけるトラフィックリクエストをＵＥが開始するサービスキャリア周波数として、キャリア周波数を選択する。
【０１５３】
上記ステップにより、ベースステーションはブロードキャスト情報においてサービスキャリア周波数リストを搬送し、ＵＥはブロードキャスト情報におけるサービスキャリア周波数リストに基づき規定ルールにしたがってサービスキャリア周波数を選択し、マルチキャリアセルにおいてＵＥがトラフィックアクセスリクエストをトリガしたときトラフィックリクエストを開始する。これによりＵＥのキャリア周波数は、ベースステーションが動的に選択したキャリア周波数となる。したがって、関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【０１５４】
望ましい実施形態として、上記実施形態において与えられるサービスキャリア周波数を特定する情報をＵＥが受信した場合、後続サービスフローは上記方法にしたがって特定したサービスキャリア周波数で実施してもよい。サービスキャリア周波数は、本実施形態において与えられる規定ルールにしたがって選択し、上記実施形態において与えられるサービスキャリア周波数を特定する情報をＵＥが受信しなかった場合、後続サービスフローはそのサービスキャリア周波数で実施する。
【０１５５】
これに代えてＵＥは、ブロードキャストチャネルを搬送するキャリア周波数を監視し、ブロードキャスト情報を受信する。ブロードキャスト情報は、トラフィックメッセージを搬送することができるキャリア周波数のリストを搬送する。ＵＥは、規定ルールにしたがってトラフィックを搬送するキャリア周波数としてそのキャリア周波数の１つを選択してランダムアクセスを開始し、そのキャリア周波数において後続サービスを送受信する。規定ルールは例えば、ＵＥのＩＤと複数のサービスキャリア周波数のｍｏｄ演算に基づきサービスキャリア周波数を決定する方法である。
【０１５６】
具体的な方法は以下の通りである：ステップＳ２６０４において、ＵＥは、規定ルールにしたがってＵＥがトラフィックリクエストを開始するキャリア周波数のキャリア周波数インデックスを取得し、そのキャリア周波数インデックスにしたがって、ＵＥがトラフィックリクエストを開始するキャリア周波数を判定する。これに代えてＵＥは、ＵＥのＩＤと複数のキャリア周波数のｍｏｄ演算にしたがって、ＵＥがトラフィックリクエストを開始するキャリア周波数インデックスを取得する。
【０１５７】
本実施形態において、キャリア周波数選択方法を提供する。図２７は、本技術の実施形態に係る別のキャリア周波数選択方法ＩＶのフローチャートである。図２７に示すように本方法は以下のステップを有する：
・ステップＳ２７０２、ベースステーションは、サービスキャリア周波数リストを判定する。サービスキャリア周波数リストはトラフィックを搬送するキャリア周波数を含み、ＵＥはサービスキャリア周波数リストを用いて、サービスキャリア周波数リスト内におけるトラフィックリクエストを開始するサービスキャリア周波数を規定ルールにしたがって選択する；
・ステップＳ２７０４、ベースステーションは、マルチキャリアセルのブロードキャスト情報において、サービスキャリア周波数リストを搬送する。
【０１５８】
望ましい実施形態として、上記実施形態において与えられるサービスキャリア周波数を特定する情報をＵＥが受信した場合、後続サービスフローは上記方法にしたがって特定したサービスキャリア周波数で実施してもよい。サービスキャリア周波数は、本実施形態において与えられる規定ルールにしたがって選択し、上記実施形態において与えられるサービスキャリア周波数を特定する情報をＵＥが受信しなかった場合、後続サービスフローはそのサービスキャリア周波数で実施する。
【０１５９】
以下の説明は、望ましい実施形態を参照して記載する。以下の望ましい実施形態は、上記実施形態とその望ましい実施形態を組み合わせる。以下の望ましい実施形態において、マルチキャリアセルにおけるキャリア周波数間の負荷バランスをとる方法と装置を提供する。具体的な方法は以下の通りである。
【０１６０】
ｅＮｏｄｅＢがＲＲＣ接続セットアップリクエストまたはＲＲＣ接続再開リクエストを受信すると、ｅＮｏｄｅＢはマルチキャリアセルの負荷状況にしたがってマルチキャリアセルのトラフィックを搬送するキャリア周波数を選択し、ＲＲＣ接続セットアップメッセージまたはＲＲＣ接続再開メッセージにおいてキャリア周波数についての情報を搬送し、ＵＥにサービス提供するターゲットセルがマルチキャリアセルであればこれをＵＥへ送信する。
【０１６１】
ＲＲＣ接続セットアップメッセージまたはＲＲＣ接続再開メッセージを受信した後、ＲＲＣ接続セットアップメッセージまたはＲＲＣ接続再開メッセージにおいてサービスキャリア周波数についての情報が搬送されている場合、ＵＥはそのサービスキャリア周波数においてデータ送受信を実施する。ＲＲＣ接続セットアップメッセージまたはＲＲＣ接続再開メッセージにおいてサービスキャリア周波数についての情報が搬送されていない場合、ＵＥは独自のキャリア周波数において後続サービス送受信を実施する。
【０１６２】
これに代えて、ＵＥがＩＤＬＥモードにおいてブロードキャストチャネルを搬送するキャリア周波数を用いるのは、以下のように実装される。
【０１６３】
１．セルにおける初期選択を実施するとき、ＵＥはブロードキャストチャネルが存在するキャリア周波数のみを監視し、ブロードキャストチャネルを搬送するキャリア周波数において動作することのみを選択する。
【０１６４】
２．セルにおける再選択を実施するとき、ブロードキャスト情報構成手順にしたがって動作を実施する；具体的には、ブロードキャスト情報を構成する際に、隣接キャリア周波数はブロードキャストチャネルを搬送するキャリア周波数に基づいている；このようにＵＥは、再選択を実施する際に、ブロードキャストチャネルを搬送するキャリア周波数を自動的に再選択する。
【０１６５】
３．ＵＥがＲＲＣ接続状態からＩＤＬＥモードにスイッチするとき、ＵＥはブロードキャストチャネルを搬送するキャリア周波数で動作する；具体的な実装は以下の通りである；ＲＲＣリリースメッセージまたはＲＲＣ接続一時停止メッセージがリダイレクト情報エレメントを搬送している場合、リダイレクト情報エレメントにおけるキャリア周波数についての情報は、ブロードキャストチャネルを搬送するキャリア周波数に対応する情報のみを用いて充填され、これによりＵＥはブロードキャストチャネルを搬送するキャリア周波数で動作する；ＲＲＣリリースメッセージまたはＲＲＣ接続一時停止メッセージにおいてリダイレクト情報エレメントが搬送されていない場合、ＵＥはリリース後に現行セルのブロードキャストチャネルと同期チャネルを搬送するキャリア周波数において自動的に動作する。さらに、セルにおけるブロードキャストチャネルを搬送するキャリア周波数は、ＳＩＢ情報またはＲＲＣシグナリングから取得することができる。
【０１６６】
上記方法により、解決する技術的課題として、マルチキャリアセルのキャリア周波数間の負荷バランスをとる方法と装置を提案し、これによりマルチキャリアセルにおけるキャリア周波数間の負荷バランスを実現できる。
【０１６７】
望ましい実施形態において与えられる、マルチキャリアセルにおけるキャリア周波数間の負荷バランスをとる方法および装置について、図面を参照しながら以下に詳述する。
【０１６８】
以下の望ましい実施形態において、マルチキャリアセルの例を提供する。望ましい実施形態において、マルチキャリアセルは以下の５つのキャリア周波数を有する。
【０１６９】
ＩＤＬＥモードのキャリアとして動作することができる第１キャリアであり、ブロードキャストチャネル（ＰＢＣＨ）、同期チャネル（ＰＳＳ／ＳＳＳ）、セル基準チャネル（ＣＲＳ）、トラフィックチャネル（ＰＤＣＣＨ／ＰＤＳＣＨ）を提供される。
【０１７０】
トラフィックを搬送することができるキャリア周波数としてのみ動作することができる第２、第３、第４、第５キャリア周波数であり、したがってセル基準チャネル（ＣＲＳ）とトラフィックチャネル（ＰＤＣＣＨ／ＰＤＳＣＨ）のみを与えられる。
【０１７１】
＜実施形態Ｉ＞
【０１７２】
図１３は、本技術の実施形態Ｉのフローチャートである。この実施形態は、ＲＲＣ接続が確立したときマルチキャリアセルにおけるキャリア周波数間の負荷をバランスするプロセスを説明している。
【０１７３】
ステップ１３０１：ＵＥは、マルチキャリアセルのキャリア周波数１に対してランダムアクセスプリアンブルを送信する。
【０１７４】
ステップ１３０２：キャリア周波数１は、ランダムアクセス応答をＵＥに対して送信する。
【０１７５】
ステップ１３０３：ＵＥは、ＲＲＣ接続セットアップリクエストをマルチキャリアセルのキャリア周波数１に対して送信する。このリクエストは、ＵＥのマルチキャリアサポート能力についての情報および／またはＮＲＳＲＰ値を含む。
【０１７６】
ステップ１３０４：マルチキャリアセルのベースステーションは、サービスキャリア周波数を選択する。
【０１７７】
ステップ１３０５：キャリア周波数１は、ＲＲＣ接続セットアップメッセージをＵＥに対して送信する。このメッセージは、サービスキャリア周波数がキャリア周波数２であるという情報を含む。
【０１７８】
これに代えて、ＲＲＣ接続セットアップメッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）またはアンカーキャリア（キャリア周波数１）の送信パワーに対する送信パワーの相対値（単位ｄＢまたは％）である。
【０１７９】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０１８０】
ステップ１３０６：キャリア周波数２は、ＰＤＣＣＨ上でアップリンク許可をＵＥに対して送信する。
【０１８１】
ステップ１３０７：ＵＥは、ＲＲＣ接続セットアップ完了メッセージをキャリア周波数２に対して送信する。
【０１８２】
ステップ１３０８：ＵＥは、キャリア周波数２においてアップリンクおよびダウリンクデータ送信を実施する。
【０１８３】
＜実施形態ＩＩ＞
【０１８４】
図１４は、本技術の実施形態ＩＩのフローチャートである。この実施形態は、ＲＲＣ接続が回復したときマルチキャリアセルにおけるキャリア周波数間の負荷をバランスするプロセスを説明している。
【０１８５】
ステップ１４０１：ＵＥは、マルチキャリアセルのキャリア周波数１に対してランダムアクセスプリアンブルを送信する。
【０１８６】
ステップ１４０２：キャリア周波数１は、ランダムアクセス応答をＵＥに対して送信する。
【０１８７】
ステップ１４０３：ＵＥは、ＲＲＣ接続再開リクエストをマルチキャリアセルのキャリア周波数１に対して送信する。このリクエストは、ＵＥのマルチキャリアサポート能力についての情報および／またはＮＲＳＲＰ値を含む。
【０１８８】
ステップ１４０４：マルチキャリアセルのベースステーションは、サービスキャリア周波数を選択する。
【０１８９】
ステップ１４０５：キャリア周波数１は、ＲＲＣ接続再開メッセージをＵＥに対して送信する。このメッセージは、サービスキャリア周波数がキャリア周波数２であるという情報を含む。
【０１９０】
これに代えて、ＲＲＣ接続再開メッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）またはアンカーキャリア（キャリア周波数１）の送信パワーに対する送信パワーの相対値（単位ｄＢまたは％）である。
【０１９１】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０１９２】
ステップ１４０６：キャリア周波数２は、ＰＤＣＣＨ上でアップリンク許可をＵＥに対して送信する。
【０１９３】
ステップ１４０７：ＵＥは、キャリア周波数２においてアップリンクおよびダウリンクデータ送信を実施する。
【０１９４】
キャリアからＵＥに対して送信する、サービスキャリア周波数の情報を搬送するメッセージが、ＲＲＣ接続再確立メッセージまたはＲＲＣ接続再構成メッセージである実装は、実施形態ＩおよびＩＩと同様であり、したがって改めて説明しない。
【０１９５】
＜実施形態ＩＩＩ＞
【０１９６】
図１５は、本技術の実施形態ＩＩＩのフローチャートである。この実施形態は、ＲＲＣ接続が確立したとき他セルからマルチキャリアセルに対する負荷をバランスするプロセスを説明している。
【０１９７】
ステップ１５０１：ＵＥは、セル１のキャリア周波数１に対してランダムアクセスプリアンブルを送信する。
【０１９８】
ステップ１５０２：セル１のキャリア周波数１は、ランダムアクセス応答をＵＥに対して送信する。
【０１９９】
ステップ１５０３：ＵＥは、ＲＲＣ接続セットアップリクエストをセル１のキャリア周波数１に対して送信する。このリクエストは、ＵＥのマルチキャリアサポート能力についての情報および／またはＮＲＳＲＰ値を含む。
【０２００】
ステップ１５０４：マルチキャリアセルのベースステーションは、負荷をバランスする。
【０２０１】
ステップ１５０５：セル１のキャリア周波数１は、ＲＲＣ接続セットアップメッセージをＵＥに対して送信する。このメッセージは、サービスキャリア周波数（例えばキャリア周波数２）の情報とセル２の物理セルＩＤを含む。
【０２０２】
これに代えて、ＲＲＣ接続セットアップメッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）である。
【０２０３】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０２０４】
ステップ１５０６：セル２のキャリア周波数２は、ＰＤＣＣＨ上でアップリンク許可をＵＥに対して送信する。
【０２０５】
ステップ１５０７：ＵＥは、セル２のキャリア周波数２においてアップリンクおよびダウリンクデータ送信を実施する。
【０２０６】
＜実施形態ＩＶ＞
【０２０７】
図１６は、本技術の実施形態ＩＶのフローチャートである。この実施形態は、ＲＲＣ接続が回復したとき他セルからマルチキャリアセルに対する負荷をバランスするプロセスを説明している。
【０２０８】
ステップ１６０１：ＵＥは、セル１のキャリア周波数１に対してランダムアクセスプリアンブルを送信する。
【０２０９】
ステップ１６０２：セル１のキャリア周波数１は、ランダムアクセス応答をＵＥに対して送信する。
【０２１０】
ステップ１６０３：ＵＥは、ＲＲＣ接続再開リクエストをセル１のキャリア周波数１に対して送信する。このリクエストは、ＵＥのマルチキャリアサポート能力についての情報および／またはＮＲＳＲＰ値を含む。
【０２１１】
ステップ１６０４：マルチキャリアセルのベースステーションは、負荷をバランスする。
【０２１２】
ステップ１６０５：セル１のキャリア周波数１は、ＲＲＣ接続再開メッセージをＵＥに対して送信する。このメッセージは、サービスキャリア周波数（例えばキャリア周波数２）の情報とセル２の物理セルＩＤを含む。
【０２１３】
これに代えて、ＲＲＣ接続再開メッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）である。
【０２１４】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０２１５】
ステップ１６０６：セル２のキャリア周波数２は、ＰＤＣＣＨ上でアップリンク許可をＵＥに対して送信する。
【０２１６】
ステップ１６０７：ＵＥは、ＲＲＣ接続セットアップ完了メッセージをセル２のキャリア周波数２に対して送信する。
【０２１７】
ステップ１６０８：ＵＥは、セル２のキャリア周波数２においてアップリンクおよびダウリンクデータ送信を実施する。
【０２１８】
キャリアからＵＥに対して送信する、サービスキャリア周波数の情報を搬送するメッセージが、ＲＲＣ接続再確立メッセージまたはＲＲＣ接続再構成メッセージである実装は、実施形態ＩおよびＩＩと同様であり、したがって改めて説明しない。
【０２１９】
＜実施形態Ｖ＞
【０２２０】
図１７は、本技術の実施形態Ｖのフローチャートである。この実施形態は、ＲＲＣ接続が回復すべき状態でありｅＮｏｄｅＢがＵＥのコンテキストを発見できずＲＲＣ接続のセットアップをトリガするとき、マルチキャリアセルにおけるキャリア周波数間の負荷をバランスするプロセスを説明している。
【０２２１】
ステップ１７０１：ＵＥは、マルチキャリアセルのキャリア周波数１に対してランダムアクセスプリアンブルを送信する。
【０２２２】
ステップ１７０２：キャリア周波数１は、ランダムアクセス応答をＵＥに対して送信する。
【０２２３】
ステップ１７０３：ＵＥは、ＲＲＣ接続セットアップリクエストをマルチキャリアセルのキャリア周波数１に対して送信する。このリクエストは、ＵＥのマルチキャリアサポート能力についての情報および／またはＮＲＳＲＰ値を含む。
【０２２４】
ステップ１７０４：マルチキャリアセルのベースステーションは、サービスキャリア周波数を選択する。
【０２２５】
ステップ１７０５：キャリア周波数１は、ＲＲＣ接続セットアップメッセージをＵＥに対して送信する。このメッセージは、サービスキャリア周波数（キャリア周波数２）の情報を含む。
【０２２６】
これに代えて、ＲＲＣ接続セットアップメッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）またはアンカーキャリア（キャリア周波数１）の送信パワーに対する送信パワーの相対値（単位ｄＢまたは％）である。
【０２２７】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０２２８】
ステップ１７０６：キャリア周波数２は、ＰＤＣＣＨ上でアップリンク許可をＵＥに対して送信する。
【０２２９】
ステップ１７０７：ＵＥは、ＲＲＣ接続セットアップ完了メッセージをキャリア周波数２に対して送信する。
【０２３０】
ステップ１７０８：ＵＥは、キャリア周波数２においてアップリンクおよびダウリンクデータ送信を実施する。
【０２３１】
＜実施形態ＶＩ＞
【０２３２】
図１８は、本技術の実施形態ＶＩのフローチャートである。この実施形態は、ＲＲＣ接続が回復すべき状態でありｅＮｏｄｅＢがＵＥのコンテキストを発見できずＲＲＣ接続のセットアップをトリガするとき、マルチキャリアセルのキャリア周波数から他のマルチキャリアセルのキャリア周波数に対する負荷をバランスするプロセスを説明している。
【０２３３】
ステップ１８０１：ＵＥは、セル１のキャリア周波数１に対してランダムアクセスプリアンブルを送信する。
【０２３４】
ステップ１８０２：セル１のキャリア周波数１は、ランダムアクセス応答をＵＥに対して送信する。
【０２３５】
ステップ１８０３：ＵＥは、ＲＲＣ接続セットアップリクエストをセル１のキャリア周波数１に対して送信する。このリクエストは、ＵＥのマルチキャリアサポート能力についての情報および／またはＮＲＳＲＰ値を含む。
【０２３６】
ステップ１８０４：マルチキャリアセルのベースステーションは、負荷をバランスする。
【０２３７】
ステップ１８０５：セル１のキャリア周波数１は、ＲＲＣ接続セットアップメッセージをＵＥに対して送信する。このメッセージは、サービスキャリア周波数（例えばキャリア周波数２）の情報とセル２の物理セルＩＤを含む。
【０２３８】
これに代えて、ＲＲＣ接続セットアップメッセージは、キャリア周波数２のＮＲＳの送信パワーについての情報を含み、キャリア周波数２のＮＲＳの送信パワーについての情報は、キャリア周波数２のＮＲＳの送信パワーの絶対値（単位ｄＢｍ）である。
【０２３９】
キャリア周波数２のＮＲＳの送信パワーについての情報は、ＵＥが用いるリソースエレメントごとのエネルギー（Ｅｎｅｒｇｙ  Ｐｅｒ  Ｒｅｓｏｕｒｃｅ  Ｅｌｅｍｅｎｔ）を提供し、ＵＥに対してキャリア周波数２が割り当てられたときＵＥはこれを用いてＲＳＲＰ測定および／または経路ロス計算を実施する。
【０２４０】
ステップ１８０６：セル２のキャリア周波数２は、ＰＤＣＣＨ上でアップリンク許可をＵＥに対して送信する。
【０２４１】
ステップ１８０７：ＵＥは、ＲＲＣ接続セットアップ完了メッセージをセル２のキャリア周波数２に対して送信する。
【０２４２】
ステップ１８０８：ＵＥは、セル２のキャリア周波数２においてアップリンクおよびダウリンクデータ送信を実施する。
【０２４３】
キャリアからＵＥに対して送信する、サービスキャリア周波数の情報を搬送するメッセージが、ＲＲＣ接続再確立メッセージまたはＲＲＣ接続再構成メッセージである実装は、実施形態ＩおよびＩＩと同様であり、したがって改めて説明しない。
【０２４４】
＜実施形態ＶＩＩ＞
【０２４５】
図１９は、本技術の実施形態ＶＩＩのフローチャートである。この実施形態は、ブロードキャストチャネルを搬送するキャリアについての情報がＲＲＣリリースメッセージまたはＲＲＣ接続一時停止メッセージにおいて搬送され、これによりＵＥがブロードキャストチャネルを搬送するキャリアで動作するようにガイドするプロセスを説明している。
【０２４６】
ステップ１９０１において、キャリア周波数２は、ＲＲＣ接続リリースメッセージまたはＲＲＣ接続一時停止メッセージをＵＥに対して送信する。このメッセージは、キャリア周波数１がブロードキャストチャネルを搬送していることの情報を含む。
【０２４７】
ステップ１９０２において、ＵＥはＩＤＬＥモードに入り、キャリア周波数１で動作する。
【０２４８】
＜実施形態ＶＩＩＩ＞
【０２４９】
図２０は、本技術の実施形態ＶＩＩＩのフローチャートである。この実施形態は、ブロードキャストチャネルを搬送するキャリアについての情報がＲＲＣ接続セットアップメッセージまたはＲＲＣ再開完了メッセージにおいて搬送され、ブロードキャストチャネルを搬送するキャリアについての情報がＲＲＣリリースメッセージまたはＲＲＣ接続一時停止メッセージにおいて搬送されず、ＵＥはＲＲＣリリースまたはＲＲＣ接続一時停止を実施するときＲＲＣ接続セットアップメッセージまたはＲＲＣ再開完了メッセージにおけるブロードキャストチャネルを搬送するキャリアにおいて自動的に動作するプロセスを説明している。
【０２５０】
ステップ２００１において、キャリア周波数２はＲＲＣ接続セットアップメッセージまたはＲＲＣ接続再開メッセージをＵＥに対して送信する。このメッセージは、ブロードキャストチャネルを搬送するキャリア周波数１についての情報を含んでいる。
【０２５１】
ステップ２００２において、キャリア周波数２はＲＲＣ接続リリースメッセージまたはＲＲＣ接続一時停止メッセージをＵＥに対して送信する。このメッセージは、ブロードキャストチャネルを搬送するキャリア周波数１についての情報を含んでいない。
【０２５２】
ステップ２００３において、ＵＥはＩＤＬＥモードに入り、キャリア周波数１で動作する。
【０２５３】
＜実施形態ＩＸ＞
【０２５４】
図２１は、本技術の実施形態ＩＸのフローチャートである。この実施形態は、ブロードキャストチャネルを搬送するキャリアについての情報がＲＲＣ接続セットアップメッセージまたはＲＲＣ再開完了メッセージにおいて搬送され、ブロードキャストチャネルを搬送するキャリアについての情報がＲＲＣリリースメッセージまたはＲＲＣ接続一時停止メッセージにおいて搬送されず、ＵＥはＲＲＣリリースまたはＲＲＣ接続一時停止を実施するとき最後にＩＤＬＥモードで動作したキャリアにおいて自動的に動作するプロセスを説明している。
【０２５５】
ステップ２１０１において、キャリア周波数１はブロードキャストメッセージを送信する。
【０２５６】
ステップ２１０２において、キャリア周波数２とＵＥはアップリンクおよびダウンリンク送信を実施する。
【０２５７】
ステップ２１０３において、キャリア周波数２はＲＲＣ接続リリースメッセージまたはＲＲＣ接続一時停止メッセージをＵＥに対して送信する。このメッセージは、ブロードキャストチャネルを搬送するキャリア周波数１についての情報を含んでいない。
【０２５８】
ステップ２１０４において、ＵＥはＩＤＬＥモードに入り、キャリア周波数１で動作する。
【０２５９】
＜実施形態Ｘ＞
【０２６０】
図２２は、本技術の実施形態Ｘのフローチャートである。この実施形態は、マルチキャリアセルのブロードキャスト情報においてＰａｇｉｎｇメッセージを搬送することができるキャリア周波数リストをＵＥが搬送し、Ｐａｇｉｎｇメッセージを受信しおよび／またはトラフィックを搬送するキャリアとしてそのキャリア周波数のなかのいずれかのキャリア周波数を規定ルールにしたがって選択するプロセスを説明している。
【０２６１】
ステップ２２０１において、キャリア周波数１はブロードキャストメッセージをＵＥ１に対して送信する。このメッセージは、Ｐａｇｉｎｇメッセージを搬送することができるキャリア周波数のリストを搬送する。
【０２６２】
ステップ２２０２において、キャリア周波数１はブロードキャストメッセージをＵＥ２に対して送信する。このメッセージは、Ｐａｇｉｎｇメッセージを搬送することができるキャリア周波数のリストを搬送する。
【０２６３】
ステップ２２０３において、ＵＥ１は規定ルールにしたがって、キャリア周波数２がＵＥのＰａｇｉｎｇとサービス情報を搬送することを判定し、マルチキャリアセルはキャリア周波数２を介してＵＥ１に対してＰａｇｉｎｇを開始する。
【０２６４】
ステップ２２０４において、キャリア周波数２とＵＥ１は、接続モードでデータ通信を実施する。
【０２６５】
ステップ２２０５において、ＵＥ２は規定ルールにしたがって、キャリア周波数３がＵＥのＰａｇｉｎｇとサービス情報を搬送することを判定し、マルチキャリアセルはキャリア周波数３を介してＵＥ２に対してＰａｇｉｎｇを開始する。
【０２６６】
ステップ２２０６において、キャリア周波数３とＵＥ２は、接続モードでデータ通信を実施する。
【０２６７】
規定ルールは例えば、対応するキャリア周波数インデックスが、ＵＥのＩＤとＰａｇｉｎｇメッセージを搬送する複数のキャリア周波数のｍｏｄ演算に基づき取得される、などのものである。
【０２６８】
Ｐａｇｉｎｇメッセージを搬送するキャリア周波数のリストは、マルチキャリアセルの全キャリア周波数のリストであってもよい。これは、全キャリア周波数がＰａｇｉｎｇメッセージを搬送することを意味する。
【０２６９】
ＩＤＬＥモードにおいてＵＥは、ブロードキャストチャネルを搬送するキャリア周波数と、自身のＰａｇｉｎｇメッセージを搬送するキャリア周波数を、周波数ホッピングにより監視する。具体的には、ＵＥはＰａｇｉｎｇ時点（Ｐａｇｉｎｇ  Ｏｃｃａｓｉｏｎ）と後続のＰａｇｉｎｇメッセージ受信フェーズにおいて、自身のＰａｇｉｎｇメッセージを搬送するキャリア周波数を監視し、それ以外の時点においてＵＥは、ブロードキャストチャネルを搬送するキャリア周波数を監視して、システムブロードキャストを受信し、ネットワークとの同期を維持する。
【０２７０】
＜実施形態ＸＩ＞
【０２７１】
図２３は、本技術の実施形態ＸＩのフローチャートである。この実施形態は、ブロードキャストチャネルを搬送するキャリア周波数においてマルチキャリアセルのＰａｇｉｎｇインディケーション情報（例：Ｐ−ＴＭＳＩ）を搬送するＰＤＣＣＨを送信するプロセスを説明している。Ｐａｇｉｎｇインディケーション情報（例：Ｐ−ＴＭＳＩ）を搬送するＰＤＣＣＨは、後続のＰａｇｉｎｇ情報および／または後続サービスを搬送するキャリア周波数を示しており、ＵＥはそのキャリア周波数において後続Ｐａｇｉｎｇ情報および／または後続サービスを送受信する。
【０２７２】
ステップ２３０１において、キャリア周波数１はＰＤＣＣＨをＵＥ１に対して送信する。ＰＤＣＣＨは、Ｐａｇｉｎｇインディケーション情報を搬送して、キャリア周波数２をＵＥのサービスキャリア周波数として特定する。
【０２７３】
ステップ２３０２において、キャリア周波数２とＵＥ１は接続モードでデータ通信を実施する。
【０２７４】
ステップ２３０３において、キャリア周波数１はＰＤＣＣＨをＵＥ２に対して送信する。ＰＤＣＣＨは、Ｐａｇｉｎｇインディケーション情報を搬送して、キャリア周波数３をＵＥのサービスキャリア周波数として特定する。
【０２７５】
ステップ２３０４において、キャリア周波数３とＵＥ２は接続モードでデータ通信を実施する。
【０２７６】
＜実施形態ＸＩＩ＞
【０２７７】
図２４は、本技術の実施形態ＸＩＩのフローチャートである。この実施形態は、ＵＥがマルチキャリアセルにおけるトラフィックアクセスリクエストをトリガするときキャリアを選択するプロセスを説明している。
【０２７８】
ステップ２４０１において、ＵＥ２はブロードキャストチャネルを搬送するキャリア周波数１を監視し、ブロードキャスト情報を受信する。ブロードキャスト情報は、サービス情報を搬送することができるキャリア周波数のリストを搬送する。
【０２７９】
ステップ２４０２において、ＵＥ１はブロードキャストチャネルを搬送するキャリア周波数１を監視し、ブロードキャスト情報を受信する。ブロードキャスト情報は、サービス情報を搬送することができるキャリア周波数のリストを搬送する。
【０２８０】
ステップ２４０３において、ＵＥ１は規定ルールにしたがって、サービス情報のキャリアとして１つのキャリア周波数（キャリア周波数２）を選択し、ランダムアクセスリクエスト（Ｍｓｇ１  ＰＲＡＣＨプリアンブル）を開始する。
【０２８１】
ステップ２４０４において、ＵＥ１はキャリア周波数２において、接続モードで後続のデータ通信を実施する。
【０２８２】
ステップ２４０５において、ＵＥ２は規定ルールにしたがって、サービス情報のキャリアとして１つのキャリア周波数（キャリア周波数３）を選択し、ランダムアクセスリクエスト（Ｍｓｇ１  ＰＲＡＣＨプリアンブル）を開始する。
【０２８３】
ステップ２４０６において、ＵＥ２はキャリア周波数３において、接続モードで後続のデータ通信を実施する。
【０２８４】
規定ルールは例えば、ＵＥのＩＤと複数のキャリア周波数のｍｏｄ演算に基づきサービスキャリア周波数を判定する方法である。
【０２８５】
図２５は、本技術の実施形態ＸＩＩＩのフローチャートである。この実施形態は、システムメッセージブロックを介して、トラフィックキャリアのＮＲＳの送信パワーについての情報をｅＮｏｄｅＢがＵＥに対して送信する方法を説明している。
【０２８６】
本実施形態において、ｅＮｏｄｅＢはＵＥに対してブロードキャストメッセージを送信する。このメッセージは、以下の２つの情報エレメントを含む。
【０２８７】
アンカーキャリアのＮＲＳの送信パワーを示すＮＲＳ送信パワー。
【０２８８】
非アンカーキャリアのＮＲＳの送信パワーを示す非アンカーキャリアＮＲＳ送信パワー。
【０２８９】
非アンカーキャリアＮＲＳ送信パワーは、例えば送信パワーの絶対値であり、例えば（−６０・・・５０）ｄＢｍの範囲である。
【０２９０】
非アンカーキャリアＮＲＳ送信パワーは、例えば非アンカーキャリアのＮＲＳの送信パワーのアンカーキャリアＮＲＳ送信パワーに対する相対値であり、例えば（−３０・・・３０）ｄＢまたは（０・・・１００）％の範囲である。
【０２９１】
上記各モジュールは、ソフトウェアまたはハードウェアで実装することができる。後者は例えば、全モジュールを同じプロセッサ内に配置する、または複数のプロセッサに配置するように実装することができる。
【０２９２】
本技術の実施形態は、記憶媒体を提供する。これに代えて本実施形態において、記憶媒体は、以下のステップを実施するプログラムコードを格納するように構成することもできる：
・ステップＳ１０２、ＵＥは、ベースステーションが送信したサービスキャリア周波数についての情報が受信されたか否かを判断し、前記サービスキャリア周波数は、前記ＵＥにサービスを提供するターゲットセルがマルチキャリアセルであるとき、負荷状況にしたがって、前記ベースステーションが選択したトラフィックを搬送するキャリア周波数である；
・ステップＳ１０４、前記ＵＥは、前記判定の結果がＹＥＳであるときサービスキャリア周波数についての前記情報に対応するサービスキャリア周波数において動作し、それ以外であれば、前記ＵＥは、独自のキャリア周波数において動作する。
【０２９３】
これに代えて記憶媒体は、以下のステップを実施するプログラムコードを格納するように構成することができる：
・ステップＳ３０２、ベースステーションは、ＵＥにサービス提供するターゲットセルがマルチキャリアであるか否かを判定する；
・ステップＳ３０４、判定結果がＹＥＳであれば、ベースステーションはターゲットセルにおける負荷状況にしたがってトラフィックを搬送するキャリア周波数を選択し、選択したキャリア周波数についての情報をＵＥに対して送信する。
【０２９４】
これに代えて記憶媒体は、以下のステップを実施するプログラムコードを格納するように構成することができる：
・ステップＳ５０２、ＵＥは、マルチキャリアセルのブロードキャスト情報がページングキャリア周波数リストおよび／または複数のページングキャリア周波数を搬送しているか否かを判定し、ページングキャリア周波数リストはページングメッセージを搬送するキャリア周波数を含み、複数のページングキャリア周波数はページングキャリア周波数リストを判定するために用いる；
・ステップＳ５０４、判定結果がＹＥＳである場合、ＵＥは規定ルールにしたがって、ページングを受信するためのキャリア周波数として、および／または、ページングキャリア周波数リストにおけるトラフィックを搬送するキャリア周波数として、キャリア周波数を選択する。
【０２９５】
これに代えて記憶媒体は、以下のステップを実施するプログラムコードを格納するように構成することができる：
・ステップＳ７０２、ベースステーションは、Ｐａｇｉｎｇキャリア周波数リストおよび／または複数のＰａｇｉｎｇキャリア周波数を判定し、Ｐａｇｉｎｇキャリア周波数リストはＰａｇｉｎｇメッセージを搬送するキャリア周波数を含み、Ｐａｇｉｎｇキャリア周波数リストは規定ルールにしたがってＰａｇｉｎｇを受信しおよび／またはＰａｇｉｎｇキャリア周波数リスト内のトラフィックを搬送するキャリア周波数としてＵＥがキャリア周波数を選択するために用いられ、複数のＰａｇｉｎｇキャリア周波数はＰａｇｉｎｇキャリア周波数リストを判定するために用いられる；
・ステップＳ７０４、ベースステーションは、マルチキャリアセルのブロードキャスト情報において、Ｐａｇｉｎｇキャリア周波数リストおよび／または複数のＰａｇｉｎｇキャリア周波数を搬送する。
【０２９６】
これに代えて記憶媒体は、以下のステップを実施するプログラムコードを格納するように構成することができる：
・ステップＳ９０２、ＵＥは、Ｐａｇｉｎｇインディケーション情報を搬送するＰＤＣＣＨを介して、Ｐａｇｉｎｇ情報および／またはトラフィックを搬送するキャリア周波数を取得する；
・ステップＳ９０４、ＵＥはキャリア周波数において後続のＰａｇｉｎｇ情報および／または後続のトラフィックを送信する。
【０２９７】
これに代えて記憶媒体は、以下のステップを実施するプログラムコードを格納するように構成することができる：
・ステップＳ１１０２、ベースステーションは、Ｐａｇｉｎｇ情報および／またはトラフィックを搬送するキャリア周波数を決定する；
・ステップＳ１１０４、ベースステーションは、Ｐａｇｉｎｇインディケーション情報を搬送するＰＤＣＣＨを介して、Ｐａｇｉｎｇ情報および／またはトラフィックを搬送するキャリア周波数をＵＥに対して通知する。ＵＥはそのキャリア周波数を用いて、後続Ｐａｇｉｎｇ情報および／または後続トラフィックを送信する。
【０２９８】
これに代えて記憶媒体は、以下のステップを実施するプログラムコードを格納するように構成することができる：
【０２９９】
ＵＥにより、サービスキャリア周波数リストがマルチキャリアセルのブロードキャスト情報において搬送されているか否かを判定するステップであって、サービスキャリア周波数リストはトラフィックを搬送するキャリア周波数を含む、ステップ；
【０３００】
判定結果がＹＥＳである場合、ＵＥにより、サービスキャリア周波数リストにおけるトラフィックリクエストを開始するキャリア周波数として、キャリア周波数を規定ルールにしたがって選択するステップ。
【０３０１】
これに代えて記憶媒体は、以下のステップを実施するプログラムコードを格納するように構成することができる：
【０３０２】
ベースステーションにより、サービスキャリア周波数リストを判定するステップであって、サービスキャリア周波数リストは、トラフィックを搬送するキャリア周波数を含み、サービスキャリア周波数リストは、サービスキャリア周波数リストにおけるトラフィックリクエストをＵＥが開始するキャリア周波数として、ＵＥが規定ルールにしたがって選択するために用いられる、ステップ；
【０３０３】
ベースステーションにより、マルチキャリアセルのブロードキャスト情報においてサービスキャリア周波数リストを搬送するステップ。
【０３０４】
これに代えて、本実施形態において、記憶媒体はプログラムコードを格納することができる様々な媒体である。例えばＵＳＢディスク、読取専用メモリ（ＲＯＭ）、ランダムアクセスメモリ（ＲＡＭ）、モバイルハードディスク、磁気ディスク、ＣＤである。
【０３０５】
これに代えて、上記実施形態と代替実施形態は、本実施形態の具体的実施形態のために参照することができるが、これらは本明細書には記載しない。
【０３０６】
本技術のモジュールやステップは、汎用目的コンピュータデバイスによって実装することができ、単一コンピュータデバイスに集中してもよいし複数コンピュータデバイスによって構成されたネットワークに分散してもよいことは、当業者にとって明らかである。これに代えて、コンピュータデバイスが実行できるプログラムコードで実装し、記憶デバイスに格納してコンピュータデバイスが実行してもよい。本明細書が記載するものとは異なる順序でステップを実行することにより実装してもよい。個別の集積回路モジュールに分離してもよいし、複数のモジュールやステップを単一の集積回路モジュールに集約してもよい。したがって本技術は、ハードウェアまたはソフトウェアの特定の組み合わせに限定されるものではない。
【０３０７】
以上の説明は本技術の望ましい実施形態であり、本技術の保護範囲を限定するためのものではない。当業者にとって、様々な変形や変更が可能である。本技術の趣旨と原理から逸脱しない、任意の変形、等価置換、改善は、本特許文書の保護範囲によってカバーされる。
【０３０８】
＜産業上の利用可能性＞
【０３０９】
上述のように、本技術の実施形態が提供するキャリア周波数選択方法および装置は、以下の有利な効果を有する：関連技術においてサービスキャリア周波数選択方法は選択を受動的に実施し主体性を欠くという課題が解決され、キャリア周波数の負荷バランスのための技術的基礎が提供され、さらに、少量データを主に送信するＮＢ−ＩｏＴシステムの効率が向上する。
【図１】
2019505135.tif 000003
【図２】
2019505135.tif 000004
【図３】
2019505135.tif 000005
【図４】
2019505135.tif 000006
【図５】
2019505135.tif 000007
【図６】
2019505135.tif 000008
【図７】
2019505135.tif 000009
【図８】
2019505135.tif 000010
【図９】
2019505135.tif 000011
【図１０】
2019505135.tif 000012
【図１１】
2019505135.tif 000013
【図１２】
2019505135.tif 000014
【図１３】
2019505135.tif 000015
【図１４】
2019505135.tif 000016
【図１５】
2019505135.tif 000017
【図１６】
2019505135.tif 000018
【図１７】
2019505135.tif 000019
【図１８】
2019505135.tif 000020
【図１９】
2019505135.tif 000021
【図２０】
2019505135.tif 000022
【図２１】
2019505135.tif 000023
【図２２】
2019505135.tif 000024
【図２３】
2019505135.tif 000025
【図２４】
2019505135.tif 000026
【図２５】
2019505135.tif 000027
【図２６】
2019505135.tif 000028
【図２７】
2019505135.tif 000029
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
無線通信方法であって、
モバイルデバイスにおいて、ベースステーションからメッセージを受信するステップであって、前記メッセージはトラフィックを搬送するために前記ベースステーションが選択したサービスキャリア周波数を示すパラメータを含み、前記パラメータはさらに、前記ベースステーションが選択した前記サービスキャリア周波数のナローバンド基準信号の送信パワーについての情報を含む、ステップ、
前記メッセージが示す前記サービスキャリア周波数において前記モバイルデバイスを動作させるステップ、
を有することを特徴とする方法。
【請求項２】
前記メッセージは、無線リソース制御（ＲＲＣ）接続セットアップメッセージ、ＲＲＣ接続再開メッセージ、ＲＲＣ接続再確立メッセージ、またはＲＲＣ接続再構成メッセージを含む
ことを特徴とする請求項１記載の方法。
【請求項３】
前記パラメータは、前記パラメータが示すキャリアのナローバンド基準信号の送信パワーと、アンカーキャリアのナローバンド基準信号の送信パワーとの間の差分を示すオフセット値を含み、前記アンカーキャリアはブロードキャストチャネルまたは同期チャネルを搬送するように構成されている
ことを特徴とする請求項１記載の方法。
【請求項４】
前記方法はさらに、前記送信パワーについての前記情報が提供する前記ナローバンド基準信号のリソースエレメントごとのエネルギーに基づき経路ロス計算を実施するステップを有する
ことを特徴とする請求項１記載の方法。
【請求項５】
前記方法はさらに、前記送信パワーについての前記情報が提供する前記ナローバンド基準信号のリソースエレメントごとのエネルギーに基づき基準信号受信パワー測定を実施するステップを有する
ことを特徴とする請求項１記載の方法。
【請求項６】
無線通信方法であって、
モバイルデバイスにおいて、ベースステーションから第１メッセージを受信するステップであって、前記第１メッセージは、トラフィックを搬送するため前記ベースステーションが選択した第１サービスキャリア周波数を示す第１パラメータを含み、前記第１パラメータはさらに、前記ベースステーションが選択した前記第１サービスキャリア周波数のナローバンド基準信号の送信パワーについての情報を含む、ステップ、
前記モバイルデバイスにおいて、ベースステーションから第２メッセージを受信するステップ、
前記モバイルデバイスにより、トラフィックを搬送するために前記ベースステーションが選択した第２サービスキャリア周波数を前記第２メッセージが含んでいるか否かを判定するステップ、
前記第２メッセージが前記第２サービスキャリア周波数を含んでないという判定に基づき前記モバイルデバイスを前記第１サービスキャリア周波数で動作させるステップ、
を有することを特徴とする方法。
【請求項７】
無線通信方法であって、
ベースステーションからモバイルデバイスに対して、トラフィックを搬送するために前記ベースステーションが選択したサービスキャリア周波数を示すパラメータを含むメッセージを送信するステップであって、前記パラメータはさらに、前記ベースステーションが選択した前記サービスキャリア周波数のナローバンド基準信号の送信パワーについての情報を含む、ステップ、
を有することを特徴とする方法。
【請求項８】
前記メッセージは、無線リソース制御（ＲＲＣ）接続セットアップメッセージ、ＲＲＣ接続再開メッセージ、ＲＲＣ接続再確立メッセージ、またはＲＲＣ接続再構成メッセージを含む
ことを特徴とする請求項７記載の方法。
【請求項９】
前記パラメータは、前記パラメータが示すキャリアのナローバンド基準信号の送信パワーと、アンカーキャリアのナローバンド基準信号の送信パワーとの間の差分を示すオフセット値を含み、前記アンカーキャリアはブロードキャストチャネルまたは同期チャネルを搬送するように構成されている
ことを特徴とする請求項７記載の方法。
【請求項１０】
前記送信パワーについての前記情報は、前記ナローバンド基準信号のリソースエレメントごとのエネルギーを提供する
ことを特徴とする請求項７記載の方法。
【請求項１１】
無線通信装置であって、
ベースステーションからメッセージを受信するように構成されたレシーバ、
プロセッサであって、
トラフィックを搬送するために前記ベースステーションが選択した第１サービスキャリア周波数を示すパラメータを前記メッセージが含んでいるという判定に基づき前記第１サービスキャリア周波数で動作し、前記パラメータはさらに前記第１サービスキャリア周波数のナローバンド基準信号の送信パワーについての情報を含む、ステップ、
トラフィックを搬送するために前記ベースステーションが選択した前記第１サービスキャリア周波数を示す前記パラメータを前記メッセージが含んでないという判定に基づき前記装置を第２サービスキャリア周波数で動作させるステップ、
を実施するように構成されたプロセッサ、
を備えることを特徴とする装置。
【請求項１２】
前記メッセージは、無線リソース制御（ＲＲＣ）接続セットアップメッセージ、ＲＲＣ接続再開メッセージ、ＲＲＣ接続再確立メッセージ、またはＲＲＣ接続再構成メッセージを含む
ことを特徴とする請求項１１記載の装置。
【請求項１３】
前記パラメータは、前記パラメータが示すキャリアのナローバンド基準信号の送信パワーと、アンカーキャリアのナローバンド基準信号の送信パワーとの間の差分を示すオフセット値を含み、前記アンカーキャリアはブロードキャストチャネルまたは同期チャネルを搬送するように構成されている
ことを特徴とする請求項１１記載の装置。
【請求項１４】
前記プロセッサはさらに、前記送信パワーについての前記情報が提供する前記ナローバンド基準信号のリソースエレメントごとのエネルギーに基づき経路ロス計算を実施するように構成されている
ことを特徴とする請求項１１記載の装置。
【請求項１５】
前記プロセッサはさらに、前記送信パワーについての前記情報が提供する前記ナローバンド基準信号のリソースエレメントごとのエネルギーに基づき基準信号受信パワー測定を実施するように構成されている
ことを特徴とする請求項１１記載の装置。
【請求項１６】
前記レシーバはさらに、前記ベースステーションから前記メッセージを受信する前に、第２メッセージを前記ベースステーションから受信するように構成されており、前記第２メッセージは、トラフィックを搬送するため前記ベースステーションが選択した前記第２サービスキャリア周波数を示す第２パラメータを含む
ことを特徴とする請求項１１記載の装置。
【請求項１７】
無線通信装置であって、
トラフィックを搬送するサービスキャリア周波数を選択するように構成されたプロセッサ、
トラフィックを搬送するための前記サービスキャリア周波数を示すパラメータを含むメッセージをモバイルデバイスに対して送信するように構成された送信器であって、前記パラメータはさらに、前記サービスキャリア周波数のナローバンド基準信号の送信パワーについての情報を含む、送信器、
を備えることを特徴とする装置。
【請求項１８】
前記メッセージは、無線リソース制御（ＲＲＣ）接続セットアップメッセージ、ＲＲＣ接続再開メッセージ、ＲＲＣ接続再確立メッセージ、またはＲＲＣ接続再構成メッセージを含む
ことを特徴とする請求項１７記載の装置。
【請求項１９】
前記パラメータは、前記パラメータが示すキャリアのナローバンド基準信号の送信パワーと、アンカーキャリアのナローバンド基準信号の送信パワーとの間の差分を示すオフセット値を含み、前記アンカーキャリアはブロードキャストチャネルまたは同期チャネルを搬送するように構成されている
ことを特徴とする請求項１１記載の装置。
【請求項２０】
前記送信パワーについての前記情報は、前記ナローバンド基準信号のリソースエレメントごとのエネルギーを提供する
ことを特徴とする請求項１１記載の装置。
【請求項２１】
請求項１から１０のいずれか１項記載の方法をプロセッサに実行させるコードを格納していることを特徴とするコンピュータ読取可能記憶媒体。
【国際調査報告】
2019505135.tif 000030
2019505135.tif 000031
2019505135.tif 000032
2019505135.tif 000033